(57)【要約】  第２の端子から二次側端子を取り外す際のアークの発生を抑制することができ、交流経路内だけでなく、直流経路内にも設置可能な接続器を実現する。本発明の一形態に係る接続器（１）は、一次側端子（８）が電気的に接続される第１の端子（３）と、二次側端子（９）が電気的に接続される第２の端子（４）と、第１の端子（３）と第２の端子（４）とを電気的に接続及び当該接続を遮断するように操作される接続手段（６）と、を備える接続器であって、接続手段（６）によって第１の端子（３）と第２の端子（４）とが電気的に接続されるのに連動して、二次側端子（９）と第２の端子（４）との電気的な接続を遮断不能にする遮断可否手段（７）を備える。
2018021023.tif 000002
【特許請求の範囲】
【請求項１】
一次側端子が電気的に接続される第１の端子と、二次側端子が電気的に接続される第２の端子と、前記第１の端子と前記第２の端子とを電気的に接続及び当該接続を遮断するように操作される接続手段と、を備える接続器であって、
前記接続手段によって前記第１の端子と前記第２の端子とが電気的に接続されるのに連動して、前記二次側端子と前記第２の端子との電気的な接続を遮断不能にする遮断可否手段を備える、接続器。
【請求項２】
前記遮断可否手段は、前記接続手段による前記第１の端子と前記第２の端子との電気的な接続の遮断に連動して、前記二次側端子と前記第２の端子との電気的な接続を遮断可能にする、請求項１に記載の接続器。
【請求項３】
前記遮断可否手段は、前記接続手段による前記第１の端子と前記第２の端子との電気的な接続が遮断された場合、前記二次側端子と前記第２の端子との接続部を覆うカバーが開状態であり、前記接続手段によって前記第１の端子と前記第２の端子とが電気的に接続された場合、前記カバーが閉状態である、請求項２に記載の接続器。
【請求項４】
前記第１の端子と前記第２の端子との電気的な接続と、前記第１の端子と前記第２の端子との電気的な接続の遮断と、を切り替えるために操作される操作手段を備え、
前記遮断可否手段は、前記接続手段による前記第１の端子と前記第２の端子との電気的な接続を遮断するために前記操作手段の操作量が所定の操作量より大きくなると、弾性力によって前記接続手段を瞬間的に前記第１の端子及び前記第２の端子から離間させる付勢手段を備える、請求項１乃至３のいずれか１項に記載の接続器。
【請求項５】
前記接続器に生じる振動が予め設定された大きさ以上の場合、前記接続手段による前記第１の端子と前記第２の端子との電気的な接続を遮断する遮断機構を備える、請求項１乃至４のいずれか１項に記載の接続器。
【請求項６】
一次側端子が電気的に接続される第１の端子と、
二次側端子が電気的に接続される第２の端子と、
前記第１の端子と前記第２の端子との電気的な接続と、前記第１の端子と前記第２の端子との電気的な接続の遮断と、を切り替えるために操作される操作手段と、
前記第１の端子と前記第２の端子とを電気的に接続可能であり、前記操作手段の操作に基づいて、前記第１の端子と前記第２の端子との電気的な接続と、前記第１の端子と前記第２の端子との電気的な接続の遮断と、を切り替えるように動作する接続手段と、
前記操作手段が前記接続手段を動作させて前記第１の端子と前記第２の端子とが電気的に接続された場合、前記二次側端子と前記第２の端子との電気的な接続を遮断不能とし、前記操作手段が前記接続手段を動作させて前記第１の端子と前記第２の端子との電気的な接続が遮断された場合、前記二次側端子と前記第２の端子との電気的な接続を遮断可能とする遮断可否手段と、
を備える、接続器。
【請求項７】
前記遮断可否手段は、
閉状態で前記二次側端子と前記第２の端子との接続部を覆うことが可能であり、開閉可能な第１のカバーと、
前記操作手段が前記接続手段を動作させて前記第１の端子と前記第２の端子とが電気的に接続された場合、前記第１のカバーを閉じた状態で固定する第１の固定手段と、
を備える、請求項６に記載の接続器。
【請求項８】
前記操作手段は、回転可能であり、
前記第１の固定手段は、前記操作手段に設けられた係合部と、前記第１のカバーに設けられた被係合部と、を備え、
前記第１の端子と前記第２の端子とを電気的に接続するために前記操作手段が第１の回転位置に回転した場合、前記第１のカバーの開きを抑制するように、前記係合部と前記被係合部とが係合状態となり、前記第１の端子と前記第２の端子との電気的な接続を遮断するために前記操作手段が第２の回転位置に回転した場合、前記第１のカバーが開くように、前記係合部と前記被係合部とが非係合状態となる、請求項７に記載の接続器。
【請求項９】
前記遮断可否手段は、
閉状態で前記二次側端子と前記第２の端子との接続部を覆うことが可能であり、前記操作手段として開閉動作する第１のカバーと、
前記接続手段を前記第１の端子及び前記第２の端子の側に付勢する第１の付勢手段と、
前記第１のカバーに設けられており、前記第１のカバーの開く動作に連動して、前記第１の端子及び前記第２の端子に対して前記接続手段が離間するように当該接続手段を押し込む押し込み手段と、
を備える、請求項６に記載の接続器。
【請求項１０】
前記押し込み手段は、前記第１のカバーに形成されたカム面を備えており、
前記カム面は、前記第１のカバーが開く際に前記第１のカバーの回転角度が所定の回転角度より大きくなると、前記接続手段に設けられた可動部と接触して、前記第１の端子及び前記第２の端子に対して前記接続手段が離間するように前記可動部を押し込む、請求項９に記載の接続器。
【請求項１１】
前記遮断可否手段は、前記第１のカバーが開く際に前記第１のカバーの回転角度が所定の回転角度より大きくなると、前記第１のカバーを開く方向に付勢する第２の付勢手段を備える、請求項９又は１０に記載の接続器。
【請求項１２】
前記第１の付勢手段は、トーションバネを備え、
前記トーションバネの一方の端部は固定部に固定され、前記トーションバネの他方の端部は案内部に沿って移動可能であり、且つ前記接続手段に弾性力を伝達可能に当該接続手段に形成された伝達部に接続され、
前記第１のカバーが閉状態の場合、前記トーションバネは、圧縮して前記接続手段を前記第１の端子及び前記第２の端子の側に付勢し、
前記第１のカバーを開く際に前記第１のカバーの回転角度が所定の回転角度に達した場合、前記案内部による前記トーションバネの他方の端部の案内により、前記トーションバネは、当該トーションバネの復元速度が加速して復元し、前記接続手段を前記第１の端子及び前記第２の端子から離間する側に付勢する、請求項９乃至１１のいずれか１項に記載の接続器。
【請求項１３】
前記一次側端子と前記第１の端子との接続部を覆う第２のカバーと、
前記第２のカバーを閉じた状態で固定可能な第２の固定手段と、を備え、
前記第１の端子と前記第２の端子とが電気的に接続された場合及び前記第１の端子と前記第２の端子との電気的な接続が遮断された場合の何れも、前記第２の固定手段による前記第２のカバーの閉状態が解除されない、請求項９乃至１２のいずれか１項に記載の接続器。
【請求項１４】
前記遮断可否手段は、
閉状態で前記二次側端子と前記第２の端子との接続部を覆うことが可能であり、前記操作手段として開閉動作する第１のカバーと、
前記第１のカバーの開く動作に連動して、前記第１の端子及び前記第２の端子に対して前記接続手段を離間させ、前記第１のカバーの閉じる動作に連動して、前記第１の端子及び前記第２の端子に対して前記接続手段を接近させる連動手段と、
前記第１のカバーが開く際に前記第１のカバーの回転角度が所定の回転角度より大きくなると、前記第１の端子及び前記第２の端子に対して前記接続手段が離間するように当該接続手段を付勢する第１の付勢手段と、
を備える、請求項６に記載の接続器。
【請求項１５】
前記第１の付勢手段は、前記接続手段に連結された板バネを備え、前記第１のカバーが閉状態で前記第１の端子及び前記第２の端子の側に反り返っており、前記第１のカバーを開く際に前記第１のカバーの回転角度が所定の回転角度より大きくなると、前記第１の端子及び前記第２の端子の側に対して逆側に反り返って、前記第１の端子及び前記第２の端子に対して前記接続手段を離間させる、請求項１４に記載の接続器。
【請求項１６】
前記一次側端子と前記第１の端子との接続部を覆う第２のカバーと、
前記第２のカバーを閉じた状態で固定する第２の固定手段と、を備える、請求項１４又は１５に記載の接続器。
【請求項１７】
前記所定の回転角度は、前記二次側端子と前記第２の端子との接続状態を解除するための工具を前記第１のカバーと筐体との隙間から挿入可能な角度である、請求項１０又は１４に記載の接続器。
【請求項１８】
前記二次側端子が前記第２の端子に嵌合されることで、前記二次側端子と前記第２の端子とが電気的に接続され、
前記遮断可否手段は、前記接続手段を介して前記第１の端子と前記第２の端子とが電気的に接続された状態で、前記二次側端子における前記第２の端子からの抜去を防止する抜去防止手段を備える、請求項６乃至１７のいずれか１項に記載の接続器。
【請求項１９】
前記接続手段は、前記第２の端子への前記二次側端子の嵌合方向に延在する第１の軸と直交する第２の軸方向にスライド可能であって、前記第１の端子と前記第２の端子とを電気的に接続する接点を備えており、
前記抜去防止手段は、
前記二次側端子の周方向の少なくとも一部に形成された溝部と、
前記接続手段を前記第２の軸方向にスライドさせる前記操作手段に設けられており、前記接続手段が前記第１の端子と前記第２の端子とを電気的に接続する第１の位置で前記溝部と係合状態とされ、前記接続手段が前記第１の端子と前記第２の端子との電気的な接続を遮断する第２の位置で前記溝部と非係合状態とされる凸部と、
を備える、請求項１８に記載の接続器。
【請求項２０】
前記第１の端子と前記接続手段との接続部近傍、又は前記第２の端子と前記接続手段との接続部近傍に配置された磁石を備える、請求項１乃至１９のいずれか１項に記載の接続器。
【請求項２１】
前記接続器は、複数の前記第１の端子と、複数の前記第２の端子と、各々の前記第１の端子と前記第２の端子とを電気的に接続する前記接続手段と、を備えるディファレンシャルモードの接続器であり、
複数組の前記第１の端子と前記第２の端子との電気的な接続が同時に遮断可能である、請求項１乃至２０のいずれか１項に記載の接続器。
【請求項２２】
前記接続器は、複数の前記第１の端子と、複数の前記第２の端子と、各々の前記第１の端子と前記第２の端子とを電気的に接続する前記接続手段と、を備えるノーマルモードの接続器であり、
各々の前記第１の端子と前記第２の端子との電気的な接続が遮断可能である、請求項１乃至２０のいずれか１項に記載の接続器。
【発明の詳細な説明】
【技術分野】
【０００１】
本発明は、接続器に関する。
【背景技術】
【０００２】
接続器の一例である端子台は、一次側端子が電気的に接続される第１の端子と、二次側端子が電気的に接続される第２の端子と、が接続手段で電気的に接続された構成とされており、一次側端子には、例えば、分電盤などから電源が供給される。【０００３】
このような構成の端子台において、作業者が第２の端子から二次側端子を取り外す際に、分電盤の操作によって電源の遮断を行い忘れた場合、作業者が感電する可能性がある。そのため、作業者の手元で第２の端子への電源の供給を遮断できるように、断路器を備えた端子台が種々開発されている（例えば、特許文献１を参照）。
【先行技術文献】
【特許文献】
【０００４】
【特許文献１】特開２００６−２７７９５４号公報
【発明の概要】
【発明が解決しようとする課題】
【０００５】
近年、例えば、再生自然エネルギーを利用して発電した電気をバッテリーに充電し、家庭内などで利用するオフザグリッド化（ルーラル）が進められている。そして、再生自然エネルギーを利用した発電量は、一般的に６００Ｖ〜１２００Ｖの高電圧直流である。【０００６】
このようなオフザグリッド化された直流経路内に特許文献１の端子台を設置した場合、特許文献１の端子台は、作業者が断路器の操作を行い忘れて第１の端子と第２の端子との電気的な接続を遮断し忘れても、第２の端子から二次側端子を取り外すことができ、その際に第２の端子と二次側端子との間で激しくアークが発生して、端子台が損傷する課題を有する。【０００７】
本発明は、このような問題を解決するためになされたものであり、第２の端子から二次側端子を取り外す際のアークの発生を抑制することができ、交流経路内だけでなく、直流経路内にも設置可能な接続器を実現する。
【課題を解決するための手段】
【０００８】
本発明の一態様に係る接続器は、一次側端子が電気的に接続される第１の端子と、二次側端子が電気的に接続される第２の端子と、前記第１の端子と前記第２の端子とを電気的に接続及び当該接続を遮断するように操作される接続手段と、を備える接続器であって、
前記接続手段によって前記第１の端子と前記第２の端子とが電気的に接続されるのに連動して、前記二次側端子と前記第２の端子との電気的な接続を遮断不能にする遮断可否手段を備える。【０００９】
上述の接続器において、前記遮断可否手段は、前記接続手段による前記第１の端子と前記第２の端子との電気的な接続の遮断に連動して、前記二次側端子と前記第２の端子との電気的な接続を遮断可能にすることが好ましい。【００１０】
上述の接続器において、前記遮断可否手段は、前記接続手段による前記第１の端子と前記第２の端子との電気的な接続が遮断された場合、前記二次側端子と前記第２の端子との接続部を覆うカバーが開状態であり、前記接続手段によって前記第１の端子と前記第２の端子とが電気的に接続された場合、前記カバーが閉状態であることが好ましい。【００１１】
上述の接続器において、前記第１の端子と前記第２の端子との電気的な接続と、前記第１の端子と前記第２の端子との電気的な接続の遮断と、を切り替えるために操作される操作手段を備え、
前記遮断可否手段は、前記接続手段による前記第１の端子と前記第２の端子との電気的な接続を遮断するために前記操作手段の操作量が所定の操作量より大きくなると、弾性力によって前記接続手段を瞬間的に前記第１の端子及び前記第２の端子から離間させる付勢手段を備えることが好ましい。【００１２】
上述の接続器において、前記接続器に生じる振動が予め設定された大きさ以上の場合、前記接続手段による前記第１の端子と前記第２の端子との電気的な接続を遮断する遮断機構を備えることが好ましい。【００１３】
本発明の一態様に係る接続器は、
一次側端子が電気的に接続される第１の端子と、
二次側端子が電気的に接続される第２の端子と、
前記第１の端子と前記第２の端子との電気的な接続と、前記第１の端子と前記第２の端子との電気的な接続の遮断と、を切り替えるために操作される操作手段と、
前記第１の端子と前記第２の端子とを電気的に接続可能であり、前記操作手段の操作に基づいて、前記第１の端子と前記第２の端子との電気的な接続と、前記第１の端子と前記第２の端子との電気的な接続の遮断と、を切り替えるように動作する接続手段と、
前記操作手段が前記接続手段を動作させて前記第１の端子と前記第２の端子とが電気的に接続された場合、前記二次側端子と前記第２の端子との電気的な接続を遮断不能とし、前記操作手段が前記接続手段を動作させて前記第１の端子と前記第２の端子との電気的な接続が遮断された場合、前記二次側端子と前記第２の端子との電気的な接続を遮断可能とする遮断可否手段と、
を備える。【００１４】
上述の接続器において、前記遮断可否手段は、
閉状態で前記二次側端子と前記第２の端子との接続部を覆うことが可能であり、開閉可能な第１のカバーと、
前記操作手段が前記接続手段を動作させて前記第１の端子と前記第２の端子とが電気的に接続された場合、前記第１のカバーを閉じた状態で固定する第１の固定手段と、
を備えることが好ましい。【００１５】
上述の接続器において、前記操作手段は、回転可能であり、
前記第１の固定手段は、前記操作手段に設けられた係合部と、前記第１のカバーに設けられた被係合部と、を備え、
前記第１の端子と前記第２の端子とを電気的に接続するために前記操作手段が第１の回転位置に回転した場合、前記第１のカバーの開きを抑制するように、前記係合部と前記被係合部とが係合状態となり、前記第１の端子と前記第２の端子との電気的な接続を遮断するために前記操作手段が第２の回転位置に回転した場合、前記第１のカバーが開くように、前記係合部と前記被係合部とが非係合状態となることが好ましい。【００１６】
上述の接続器において、前記遮断可否手段は、
閉状態で前記二次側端子と前記第２の端子との接続部を覆うことが可能であり、前記操作手段として開閉動作する第１のカバーと、
前記接続手段を前記第１の端子及び前記第２の端子の側に付勢する第１の付勢手段と、
前記第１のカバーに設けられており、前記第１のカバーの開く動作に連動して、前記第１の端子及び前記第２の端子に対して前記接続手段が離間するように当該接続手段を押し込む押し込み手段と、
を備えることが好ましい。【００１７】
上述の接続器において、前記押し込み手段は、前記第１のカバーに形成されたカム面を備えており、
前記カム面は、前記第１のカバーが開く際に前記第１のカバーの回転角度が所定の回転角度より大きくなると、前記接続手段に設けられた可動部と接触して、前記第１の端子及び前記第２の端子に対して前記接続手段が離間するように前記可動部を押し込むことが好ましい。【００１８】
上述の接続器において、前記遮断可否手段は、前記第１のカバーが開く際に前記第１のカバーの回転角度が所定の回転角度より大きくなると、前記第１のカバーを開く方向に付勢する第２の付勢手段を備えることが好ましい。【００１９】
上述の接続器において、前記第１の付勢手段は、トーションバネを備え、
前記トーションバネの一方の端部は固定部に固定され、前記トーションバネの他方の端部は案内部に沿って移動可能であり、且つ前記接続手段に弾性力を伝達可能に当該接続手段に形成された伝達部に接続され、
前記第１のカバーが閉状態の場合、前記トーションバネは、圧縮して前記接続手段を前記第１の端子及び前記第２の端子の側に付勢し、
前記第１のカバーを開く際に前記第１のカバーの回転角度が所定の回転角度に達した場合、前記案内部による前記トーションバネの他方の端部の案内により、前記トーションバネは、当該トーションバネの復元速度が加速して復元し、前記接続手段を前記第１の端子及び前記第２の端子から離間する側に付勢することが好ましい。【００２０】
上述の接続器において、
前記一次側端子と前記第１の端子との接続部を覆う第２のカバーと、
前記第２のカバーを閉じた状態で固定可能な第２の固定手段と、を備え、
前記第１の端子と前記第２の端子とが電気的に接続された場合及び前記第１の端子と前記第２の端子との電気的な接続が遮断された場合の何れも、前記第２の固定手段による前記第２のカバーの閉状態が解除されないことが好ましい。【００２１】
上述の接続器において、前記遮断可否手段は、
閉状態で前記二次側端子と前記第２の端子との接続部を覆うことが可能であり、前記操作手段として開閉動作する第１のカバーと、
前記第１のカバーの開く動作に連動して、前記第１の端子及び前記第２の端子に対して前記接続手段を離間させ、前記第１のカバーの閉じる動作に連動して、前記第１の端子及び前記第２の端子に対して前記接続手段を接近させる連動手段と、
前記第１のカバーが開く際に前記第１のカバーの回転角度が所定の回転角度より大きくなると、前記第１の端子及び前記第２の端子に対して前記接続手段が離間するように当該接続手段を付勢する第１の付勢手段と、
を備えることが好ましい。【００２２】
上述の接続器において、前記第１の付勢手段は、前記接続手段に連結された板バネを備え、前記第１のカバーが閉状態で前記第１の端子及び前記第２の端子の側に反り返っており、前記第１のカバーを開く際に前記第１のカバーの回転角度が所定の回転角度より大きくなると、前記第１の端子及び前記第２の端子の側に対して逆側に反り返って、前記第１の端子及び前記第２の端子に対して前記接続手段を離間させることが好ましい。【００２３】
上述の接続器において、
前記一次側端子と前記第１の端子との接続部を覆う第２のカバーと、
前記第２のカバーを閉じた状態で固定する第２の固定手段と、を備えることが好ましい。【００２４】
上述の接続器において、前記所定の回転角度は、前記二次側端子と前記第２の端子との接続状態を解除するための工具を前記第１のカバーと筐体との隙間から挿入可能な角度であることが好ましい。【００２５】
上述の接続器において、前記二次側端子が前記第２の端子に嵌合されることで、前記二次側端子と前記第２の端子とが電気的に接続され、
前記遮断可否手段は、前記接続手段を介して前記第１の端子と前記第２の端子とが電気的に接続された状態で、前記二次側端子における前記第２の端子からの抜去を防止する抜去防止手段を備えることが好ましい。【００２６】
上述の接続器において、前記接続手段は、前記第２の端子への前記二次側端子の嵌合方向に延在する第１の軸と直交する第２の軸方向にスライド可能であって、前記第１の端子と前記第２の端子とを電気的に接続する接点を備えており、
前記抜去防止手段は、
前記二次側端子の周方向の少なくとも一部に形成された溝部と、
前記接続手段を前記第２の軸方向にスライドさせる前記操作手段に設けられており、前記接続手段が前記第１の端子と前記第２の端子とを電気的に接続する第１の位置で前記溝部と係合状態とされ、前記接続手段が前記第１の端子と前記第２の端子との電気的な接続を遮断する第２の位置で前記溝部と非係合状態とされる凸部と、
を備えることが好ましい。【００２７】
上述の接続器において、前記第１の端子と前記接続手段との接続部近傍、又は前記第２の端子と前記接続手段との接続部近傍に配置された磁石を備えることが好ましい。【００２８】
上述の接続器において、前記接続器は、複数の前記第１の端子と、複数の前記第２の端子と、各々の前記第１の端子と前記第２の端子とを電気的に接続する前記接続手段と、を備えるディファレンシャルモードの接続器であり、
複数組の前記第１の端子と前記第２の端子との電気的な接続が同時に遮断可能であることが好ましい。【００２９】
上述の接続器において、前記接続器は、複数の前記第１の端子と、複数の前記第２の端子と、各々の前記第１の端子と前記第２の端子とを電気的に接続する前記接続手段と、を備えるノーマルモードの接続器であり、
各々の前記第１の端子と前記第２の端子との電気的な接続が遮断可能であることが好ましい。
【発明の効果】
【００３０】
本発明により、第２の端子から二次側端子を取り外す際のアークの発生を抑制することができ、交流経路内だけでなく、直流経路内にも設置可能な接続器を実現することができる。
【図面の簡単な説明】
【００３１】
【図１】実施の形態１の接続器において、操作手段が第１の回転位置に配置された状態を模式的に示す斜視図である。
【図２】実施の形態１の接続器において、操作手段が第１の回転位置に配置された状態を模式的に示す一部透視図である。
【図３】実施の形態１の接続器において、操作手段が第１の回転位置に配置された状態を模式的に示す異なる一部透視図である。
【図４】実施の形態１の接続器の内部構造を模式的に示す斜視図である。
【図５】実施の形態１の接続器の内部構造を模式的に示す平面図である。
【図６】実施の形態１の接続器の内部構造を模式的に示す一部透視図である。
【図７】実施の形態１の接続器の操作手段及びカム機構を模式的に示す斜視図である。
【図８】実施の形態１の接続器の操作手段及びカム機構を模式的に示す異なる斜視図である。
【図９】実施の形態１の接続器の操作手段の突出部が筐体の突出部に係止された状態を模式的に示す図である。
【図１０】実施の形態１の接続器のカム機構を模式的に示す平面図である。
【図１１】実施の形態１の接続器の操作手段周辺を拡大して示す斜視図である。
【図１２】実施の形態１の接続器の操作手段周辺を拡大して示す異なる斜視図である。
【図１３】実施の形態１の接続器の可動部及び接続手段を模式的に示す斜視図である。
【図１４】実施の形態１の接続器において、操作手段が第２の回転位置に配置された状態での操作手段と可動部とカム機構との関係を模式的に示す図である。
【図１５】実施の形態１の接続器において、操作手段が第２の回転位置に配置された状態を模式的に示す一部透視図である。
【図１６】実施の形態１の接続器において、操作手段が第２の回転位置に配置されて操作手段の突出部と筐体の突出部との係止関係が解除された状態を模式的に示す図である。
【図１７】実施の形態１の接続器の第１のカバーが開いた状態を模式的に示す斜視図である。
【図１８】実施の形態２の接続器を模式的に示す斜視図である。
【図１９】実施の形態２の接続器の内部構造を模式的に示す斜視図である。
【図２０】実施の形態２の可動部における伝達部を模式的に示す斜視図である。
【図２１】実施の形態２の第１のカバーを模式的に示す斜視図である。
【図２２】実施の形態２の接続器を模式的に示す断面図である。
【図２３】実施の形態２の第１の付勢手段周辺を示す拡大断面図である。
【図２４】実施の形態２の接続器において、第１の端子と第２の端子との電気的な接続が遮断された状態を示す断面斜視図である。
【図２５】実施の形態２の接続器において、第１の端子と第２の端子との電気的な接続が遮断された状態を示す断面図である。
【図２６】実施の形態３の接続器を模式的に示す斜視図である。
【図２７】実施の形態３の接続器の内部構造を模式的に示す斜視図である。
【図２８】実施の形態３の接続器において、蓋部が省略され、操作手段が第１の位置に配置された状態を模式的に示す平面図である。
【図２９】実施の形態３の接続器において、操作手段が第１の位置に配置された状態での操作手段及び遮断可否手段などを模式的に示す正面図である。
【図３０】実施の形態３の接続器において、操作手段が第１の位置に配置された状態での操作手段及び遮断可否手段などを模式的に示す斜視図である。
【図３１】実施の形態３の接続器において、操作手段が第１の位置に配置された状態での操作手段及び遮断可否手段などを模式的に示す異なる斜視図である。
【図３２】実施の形態３の接続器において、操作手段が第２の位置に配置された状態での遮断可否手段などを模式的に示す図である。
【図３３】実施の形態３の接続器において、操作手段が第２の位置に配置された状態での接続手段と第１の端子と第２の端子との関係を模式的に示す図である。
【図３４】実施の形態４の接続器を模式的に示す一部透視図である。
【図３５】実施の形態４の接続器において、蓋部及び操作手段を省略した状態を模式的に示す一部透視図である。
【図３６】実施の形態４の異なる接続器を模式的に示す一部透視図である。
【図３７】実施の形態４の異なる接続器において、蓋部及び操作手段を省略した状態を模式的に示す斜視図である。
【図３８】実施の形態５の接続器において、第２のカバーが閉じた状態での連動手段などを模式的に示す正面図である。
【図３９】実施の形態５の接続器において、第２のカバーが閉じた状態での連動手段などを模式的に示す斜視図である。
【図４０】実施の形態５の接続器において、第２のカバーが閉じた状態での連動手段などを模式的に示す異なる斜視図である。
【図４１】実施の形態５の接続器における可動部の伝達部を模式的に示す斜視図である。
【図４２】実施の形態５の接続器において、第２のカバーが閉じた状態での第１の付勢手段を模式的に示す斜視図である。
【図４３】実施の形態５の接続器において、第２のカバーが開いた状態での連動手段などを模式的に示す正面図である。
【図４４】実施の形態５の接続器において、第２のカバーが開いた状態での連動手段などを模式的に示す斜視図である。
【図４５】実施の形態５の接続器において、第２のカバーが開いた状態での第１の付勢手段を模式的に示す斜視図である。
【図４６】実施の形態６の接続器において、第１の端子と第２の端子とが電気的に接続された状態を模式的に示す断面図である。
【図４７】実施の形態６の接続器において、第１の端子と第２の端子とが電気的に接続された状態を模式的に示す異なる断面図である。
【図４８】実施の形態６の筐体を模式的に示す斜視図である。
【図４９】実施の形態６の可動部などを模式的に示す斜視図である。
【図５０】実施の形態６の可動部を模式的に示す斜視図である。
【図５１】実施の形態６の第１のカバーを模式的に示す斜視図である。
【図５２】実施の形態６の固定治具を模式的に示す斜視図である。
【図５３】実施の形態６の接続器において、第１の端子と第２の端子とが電気的に接続された状態の内部構造を模式的に示す図である。
【図５４】実施の形態６の接続器において、第１の端子と第２の端子との電気的な接続が遮断された状態を示す断面図である。
【図５５】実施の形態６の接続器において、第１の端子と第２の端子との電気的な接続が遮断された状態を拡大して示す断面図である。
【図５６】実施の形態６の接続器において、第１の端子と第２の端子との電気的な接続が遮断された状態を示す異なる断面図である。
【発明を実施するための形態】
【００３２】
以下、本発明を実施するための最良の形態について、添付図面を参照しながら説明する。但し、本発明が以下の実施の形態に限定される訳ではない。また、説明を明確にするため、以下の記載及び図面は、適宜、簡略化されている。
【００３３】
＜実施の形態１＞
本実施の形態の接続器を説明する。図１は、本実施の形態の接続器において、操作手段が第１の回転位置に配置された状態を模式的に示す斜視図である。図２は、本実施の形態の接続器において、操作手段が第１の回転位置に配置された状態を模式的に示す一部透視図である。図３は、本実施の形態の接続器において、操作手段が第１の回転位置に配置された状態を模式的に示す異なる一部透視図である。図４は、本実施の形態の接続器の内部構造を模式的に示す斜視図である。図５は、本実施の形態の接続器の内部構造を模式的に示す平面図である。図６は、本実施の形態の接続器の内部構造を模式的に示す一部透視図である。図７は、本実施の形態の接続器の操作手段及びカム機構を模式的に示す斜視図である。図８は、本実施の形態の接続器の操作手段及びカム機構を模式的に示す異なる斜視図である。図９は、本実施の形態の接続器の操作手段の突出部が筐体の突出部に係止された状態を模式的に示す図である。図１０は、本実施の形態の接続器のカム機構を模式的に示す平面図である。図１１は、本実施の形態の接続器の操作手段周辺を拡大して示す斜視図である。図１２は、本実施の形態の接続器の操作手段周辺を拡大して示す異なる斜視図である。図１３は、本実施の形態の接続器の可動部及び接続手段を模式的に示す斜視図である。なお、各図において、図を明確にするために、一部の部材を省略している場合がある。ここで、以下の説明では、説明を明確にするために、直交（ｘｙｚ）座標系を用いて説明する。
【００３４】
接続器１は、図１乃至図６に示すように、筐体２、第１の端子３、第２の端子４、操作手段５、接続手段６及び遮断可否手段７を備えており、例えば、電源側に電気的に接続された一次側端子８と機器側に電気的に接続された二次側端子９とを電気的に接続する端子台として好適である。ここで、本実施の形態の接続器１は、ディファレンシャルモードの接続器として構成されている。
【００３５】
筐体２は、絶縁部材から成り、図１乃至図５に示すように、ｚ軸＋側に開口部が形成された箱形状を基本形態としている。即ち、筐体２は、ｘ軸＋側に配置された側部２ａ、ｘ軸−側に配置された側部２ｂ、ｙ軸＋側に配置された側部２ｃ、ｙ軸−側に配置された側部２ｄ、及びｚ軸−側に配置された底部２ｅを備えている。
【００３６】
本実施の形態の筐体２は、さらに、ｙ軸方向の略中央に配置され、且つｘ軸方向に延在する第１のリブ２ｆ及び第２のリブ２ｇを備えている。第１のリブ２ｆと第２のリブ２ｇとは、ｘ軸方向に間隔を開けて配置されている。
【００３７】
筐体２の側部２ａには、ｙ軸方向で第１のリブ２ｆを挟み込むように、一次側端子８が挿入される第１の切り欠き部２ｈが形成されている。第１の切り欠き部２ｈは、側部２ａにおけるｚ軸＋側の縁部からｚ軸−方向に延在している。また、筐体２の側部２ｂには、ｙ軸方向で第２のリブ２ｇを挟み込むように、二次側端子９が挿入される第２の切り欠き部２ｉが形成されている。第２の切り欠き部２ｉは、側部２ｂにおけるｚ軸＋側の縁部からｚ軸−方向に延在している。
【００３８】
第１の端子３は、導電部材から成り、図４乃至図６に示すように、一次側端子８が電気的に接続される。本実施の形態の第１の端子３は、板状部材であり、リング部を有する圧着端子である一次側端子８とボルト（図示を省略）を介して接続するための貫通孔３ａを備えている。このような第１の端子３は、筐体２の底部２ｅのｚ軸＋側の面に固定されており、ｙ軸方向で第１のリブ２ｆを挟み込むように配置されている。そのため、第１のリブ２ｆは、ｙ軸方向で並ぶ第１の端子３の短絡を防止することになる。
【００３９】
第２の端子４は、導電部材から成り、図４乃至図６に示すように、二次側端子９が電気的に接続される。本実施の形態の第２の端子４は、板状部材であり、リング部を有する圧着端子である二次側端子９とボルト（図示を省略）を介して接続するための貫通孔４ａを備えている。このような第２の端子４は、筐体２の底部２ｅのｚ軸＋側の面に固定されており、ｙ軸方向で第２のリブ２ｇを挟み込むように配置されている。そのため、第２のリブ２ｇは、ｙ軸方向で並ぶ第２の端子４の短絡を防止することになる。
【００４０】
操作手段５は、絶縁部材から成り、第１の端子３と第２の端子４との電気的な接続と、第１の端子３と第２の端子４との電気的な接続の遮断と、を切り替えるために作業者によって操作される。本実施の形態の操作手段５は、ｙ軸方向で第１のリブ２ｆと第２のリブ２ｇとの間に配置されており、第１の端子３と第２の端子４とが電気的に接続される第１の回転位置と、第１の端子３と第２の端子４との電気的な接続が遮断される第２の回転位置と、の間を、ｚ軸方向に延在する回転軸ＡＸ１を中心に回転する。
【００４１】
操作手段５は、例えば、図７及び図８に示すように、摘まみ部５ａ、第１の軸部５ｂ、第２の軸部５ｃ及び連結部５ｄを備えている。摘まみ部５ａは、操作手段５を回転させるために作業者によって操作される部位であり、当該摘まみ部５ａの中心軸が回転軸ＡＸ１上に配置されている。このような摘まみ部５ａは、例えば、作業者の指を引っ掛ける溝部５ｅ、及びドライバーなどの工具をねじ込むためのねじ込み部５ｆを備えている。但し、摘まみ部５ａは、作業者が良好に操作手段５を回転させることができる形状であればよい。
【００４２】
第１の軸部５ｂは、ｚ軸方向に延在しており、第１の軸部５ｂの中心軸が回転軸ＡＸ１上に配置されている。そして、第１の軸部５ｂは、ｚ軸＋側の端部が摘まみ部５ａに連結されている。このような第１の軸部５ｂは、当該第１の軸部５ｂの径方向に突出する突出部５ｇを備えている。突出部５ｇは、例えば、ｚ軸方向から見て点対称に配置されている。
【００４３】
第２の軸部５ｃは、ｚ軸方向に延在しており、第２の軸部５ｃの中心軸が回転軸ＡＸ１上に配置されている。このような第２の軸部５ｃは、当該第２の軸部５ｃの径方向に突出する突出部５ｈを備えている。突出部５ｈは、例えば、ｚ軸方向から見て点対称に配置されている。そして、図９に示すように、第２の軸部５ｃが筐体２の底部２ｅに形成された貫通孔２ｊに挿入されて回転すると、突出部５ｈに対して当該貫通孔２ｊの周面から突出する突出部２ｋがｚ軸＋側に配置されて相互が重なるように配置される。
【００４４】
連結部５ｄは、第１の軸部５ｂと第２の軸部５ｃとを連結する。連結部５ｄは、ｚ軸方向に延在しており、連結部５ｄの中心軸が回転軸ＡＸ１上に配置されている。そして、連結部５ｄにおけるｚ軸＋側の端部が第１の軸部５ｂに連結され、ｚ軸−側の端部が第２の軸部５ｃに連結されている。このような連結部５ｄには、カム機構１０が固定されている。
【００４５】
カム機構１０は、例えば、図１０に示すように、カム１０ａ、係止部１０ｂ及びリンク１０ｃを備えており、カム１０ａの回転に基づいて、係止部１０ｂの間隔が伸縮する。このようなカム機構１０は、絶縁部材から成ることが好ましい。
【００４６】
詳細には、カム１０ａは、ｚ軸方向から見て楕円形状の板状部材である。そして、カム１０ａの中央に貫通孔１０ｄが形成されており、図８に示すように、カム１０ａの貫通孔１０ｄに操作手段５の連結部５ｄが通されて固定されている。ここで、操作手段５の連結部５ｄがカム１０ａの貫通孔１０ｄに圧入することで、操作手段５の連結部５ｄをカム１０ａの貫通孔１０ｄに固定することができるが、固定方法は限定されず、ボルトなどを用いて固定してもよい。
【００４７】
係止部１０ｂは、切り欠き部１０ｅが形成された板状部材である。このような係止部１０ｂは、カム１０ａを挟んでｙ軸方向に並べられており、各々の切り欠き部１０ｅがカム１０ａに対して外方に延在している。
【００４８】
リンク１０ｃは、カム１０ａの長径がｙ軸方向に配置された状態で、放射状に配置されており、一方の端部がカム１０ａに回転可能に連結され、他方の端部が係止部１０ｂに回転可能に連結されている。
【００４９】
接続手段６は、導電部材から成り、図４及び図５などに示すように、第１の端子３と第２の端子４とを電気的に接続可能である。そして、接続手段６は、操作手段５の回転動作に基づいて、第１の端子３と第２の端子４との電気的な接続と、第１の端子３と第２の端子４との電気的な接続の遮断と、を切り替えるように動作する。
【００５０】
本実施の形態の接続手段６は、図６及び図１１に示すように、ｙ軸方向から見て略Ｍ字形状に形成された板バネであり、第１の端子３に接触する第１の接点６ａ及び第２の端子４に接触する第２の接点６ｂを備えている。このような接続手段６は、可動部１１に固定されている。そして、接続手段６は、ｙ軸方向で第１のリブ２ｆ及び第２のリブ２ｇを挟み込むように配置されている。
【００５１】
可動部１１は、絶縁部材から成り、図１１乃至図１３に示すように、筒部１１ａ、第１の弾性体１１ｂ、アーム部１１ｃ、被係止部１１ｄ及び第２の弾性体１１ｅを備えている。
【００５２】
筒部１１ａは、例えば、円筒形状を基本形態としている。そして、筒部１１ａの内部に操作手段５の第１の軸部５ｂが通されている。このような筒部１１ａは、操作手段５の突出部５ｇが挿入される切り欠き部１１ｆを備えている。
【００５３】
切り欠き部１１ｆは、例えば、筒部１１ａにおけるｚ軸−側の縁部を切り欠くように形成されており、径方向に延在する第１の部分１１ｇ及び当該第１の部分１１ｇからｚ軸＋側に延在する第２の部分１１ｈを備えている。
【００５４】
第１の弾性体１１ｂは、例えば、コイルバネである。第１の弾性体１１ｂは、操作手段５の摘まみ部５ａと筒部１１ａとの間に配置されており、内部に操作手段５の第１の軸部５ｂが通されている。ちなみに、本実施の形態の第１の弾性体１１ｂにおけるｚ軸＋側の端部は、図１２に示すように、操作手段５の摘まみ部５ａに形成された収容部５ｉ内に挿入されている。これにより、第１の弾性体１１ｂの位置を定めることができる。
【００５５】
アーム部１１ｃは、筒部１１ａの外周面からｙ軸＋側及びｙ軸−側に夫々突出している。そして、アーム部１１ｃには、略Ｍ字形状に形成された接続手段６の谷部分が固定されており、ｙ軸方向から見てアーム部１１ｃを挟んで第１の接点６ａと第２の接点６ｂとが配置されている。このようなアーム部１１ｃの先端部は、筐体２の側部２ｃに形成された貫通孔２ｌ又は側部２ｄに形成された貫通孔２ｍに通されている。貫通孔２ｌ、２ｍは、ｚ軸方向に延在しており、可動部１１の移動をｚ軸方向に案内する。
【００５６】
被係止部１１ｄは、例えば、ｙ軸方向から見て略Ｉ字形状であり、リブ１１ｉ、ｚ軸＋側の第１のフランジ１１ｊ、及びｚ軸−側の第２のフランジ１１ｋを備えている。そして、第１のフランジ１１ｊがアーム部１１ｃに固定されている。
【００５７】
第２の弾性体１１ｅは、例えば、ｙ軸方向から見て逆Ｖ字形状に形成された板バネであり、頂部が被係止部１１ｄに固定されている。そして、第２の弾性体１１ｅにおけるｚ軸−側の端部は夫々、筐体２の底部２ｅにおけるｚ軸＋側の面に接触している。
【００５８】
遮断可否手段７は、絶縁部材から成り、操作手段５が第１の回転位置に配置されて第１の端子３と第２の端子４とが電気的に接続された状態で、第２の端子４と二次側端子９との電気的な接続を遮断不能とし、操作手段５が第２の回転位置に配置されて第１の端子３と第２の端子４との電気的な接続が遮断された状態で、第２の端子４と二次側端子９との電気的な接続を遮断可能とする。
【００５９】
本実施の形態の遮断可否手段７は、図２に示すように、第１のカバー７ａ及び第１の固定手段７ｂを備えている。第１のカバー７ａは、例えば、ｙ軸方向に延在する軸１２を介して開閉可能に筐体２に連結されており、閉状態（即ち、筐体２の側部２ｃ、２ｄ及び第２のリブ２ｇのｚ軸＋側の面に載置された状態）で第２の端子４と二次側端子９との接続部を覆い、開状態で第２の端子４と二次側端子９との接続部を露出させる。ここで、このような第１のカバー７ａの開閉を可能にするために、筐体２は第１のカバー７ａの開閉時に当該第１のカバー７ａと干渉しない形状とされている。
【００６０】
軸１２は、筐体２の側部２ｃ、２ｄ及び第２のリブ２ｇに夫々形成された貫通孔２ｎ、２ｏ、２ｐに通されている。貫通孔２ｎ、２ｏ、２ｐは、図６に示すように、ｙ軸方向に貫通しており、ｘ軸方向に延在する水平部２ｑ及び当該水平部２ｑからｘ軸−側に向かうに従ってｚ軸＋側に傾斜する傾斜部２ｒを備えている。
【００６１】
第１の固定手段７ｂは、係合部７ｃ及び被係合部７ｄを備えている。係合部７ｃは、例えば、操作手段５の摘まみ部５ａから径方向に突出する突出部７ｅ及び当該突出部７ｅからｚ軸−方向に延在する軸部７ｆを備えている。
【００６２】
被係合部７ｄは、例えば、第１のカバー７ａに形成された切り欠き部７ｇに対して操作手段５側の領域である。切り欠き部７ｇには、係合部７ｃの軸部７ｆが挿入されており、操作手段５が回転した際に当該軸部７ｆと干渉しないように略円弧形状を基本形態としている。
【００６３】
ここで、本実施の形態の接続器１は、さらに筐体２の側部２ｃ、２ｄ及び第１のリブ２ｆのｚ軸＋側の面に載置されて第１の端子３と一次側端子８との接続部を覆った閉状態で固定可能な第２のカバー１３を備えていることが好ましい。
【００６４】
第２のカバー１３は、例えば、ｙ軸方向に延在する軸１４を介して筐体２に連結された状態で、第２の固定手段１５によって閉状態で固定される。第２の固定手段１５は、例えば、図３に示すように、係合部１５ａ及び被係合部１５ｂを備えている。係合部１５ａは、例えば、操作手段５の周方向で第１の固定手段７ｂの係合部７ｃと１８０°間隔で配置されており、操作手段５の摘まみ部５ａから径方向に突出する突出部１５ｃ及び当該突出部１５ｃからｚ軸−方向に延在する軸部１５ｄを備えている。
【００６５】
被係合部１５ｂは、例えば、第２のカバー１３に形成された切り欠き部１３ａに対して操作手段５側の領域である。切り欠き部１３ａには、係合部１５ａの軸部１５ｄが挿入されており、操作手段５が回転した際に当該軸部１５ｄと干渉しないように略円弧形状に形成されている。
【００６６】
また、接続器１は、図１に示すように、第１のカバー７ａと第２のカバー１３との間を覆う第３のカバー１６を備えていることが好ましい。第３のカバー１６は、絶縁部材から成り、本体部１６ａ及び爪部１６ｂを備えている。
【００６７】
本体部１６ａは、第１のカバー７ａと第２のカバー１３との間を覆う板状部材であり、中央に操作手段５の摘まみ部５ａを露出させる貫通孔１６ｃが形成されている。そして、本体部１６ａにおけるｚ軸−側の面には、第１の固定手段７ｂの係合部７ｃ及び第２の固定手段１５の係合部１５ａが収容される収容部（図示を省略）が形成されている。当該収容部は、第１の固定手段７ｂの係合部７ｃ及び第２の固定手段１５の係合部１５ａの回転を許容する。このような本体部１６ａは、軸１２を介して第１のカバー７ａを貫通孔２ｎ、２ｏ、２ｐに沿ってｘ軸−方向に移動させた状態で、第１のカバー７ａの開方向への回転を許容する。
【００６８】
爪部１６ｂは、本体部１６ａにおけるｙ軸方向の両端部から夫々ｚ軸−方向に延在しており、両爪部１６ｂで筐体２をｙ軸方向から挟持する。これにより、第３のカバー１６が筐体２に固定される。
【００６９】
このような接続器１の第１の端子３に一次側端子８を接続する場合は、第１の端子３の貫通孔３ａに一次側端子８のリング部を重ねてボルトを通し、当該ボルトを筐体２に形成されたネジ孔２ｓにねじ込んで端子相互をボルト接続する。その後、第２のカバー１３を、筐体２の側部２ｃ、２ｄ及び第１のリブ２ｆのｚ軸＋側の面に載置し、軸１４を第２のカバー１３に形成された貫通孔１３ｂ、及び筐体２の側部２ｃ、２ｄ並びに第１のリブ２ｆに形成された貫通孔２ｔ、２ｕ、２ｖに通して第２のカバー１３を筐体２に連結する。これにより、第２のカバー１３によって第１の端子３と一次側端子８との接続部が覆われる。
【００７０】
一方、第２の端子４に二次側端子９を電気的に接続する場合は、第１のカバー７ａが開いた状態で、第２の端子４の貫通孔４ａに二次側端子９のリング部を重ねてボルトを通し、当該ボルトを筐体２に形成されたネジ孔２ｗにねじ込んで端子相互をボルト接続し、その後、第１のカバー７ａを閉じる。これにより、第１のカバー７ａによって第２の端子４と二次側端子９との接続部が覆われる。
【００７１】
次に、本実施の形態の接続器１において、操作手段５が第１の回転位置に配置された状態を説明する。操作手段５が第１の回転位置に配置された状態で、第１の固定手段７ｂの係合部７ｃは操作手段５からｘ軸−方向に突出し、軸部７ｆが切り欠き部７ｇ内に挿入されている。これにより、被係合部７ｄは、係合部７ｃの突出部７ｅでｚ軸＋側から覆われ、第１のカバー７ａが軸１２を中心に開方向に回転しようとしても当該回転が抑制される。また、第１のカバー７ａがｘ軸−方向に移動しようとしても、被係合部７ｄのｘ軸−側の側壁が係合部７ｃの軸部７ｆに引っ掛かり、第１のカバー７ａのｘ軸−方向への移動が抑制される。
【００７２】
一方、第２の固定手段１５の係合部１５ａは操作手段５からｘ軸＋方向に突出し、軸部１５ｄが切り欠き部１３ａ内に挿入されている。これにより、被係合部１５ｂは、係合部１５ａの突出部１５ｃでｚ軸＋側から覆われ、第２のカバー１３が軸１４を中心に開方向に回転しようとしても当該回転が抑制される。また、第２のカバー１３がｘ軸＋方向に移動しようとしても、被係合部１５ｂのｘ軸＋側の側壁が係合部１５ａの軸部１５ｄに引っ掛かり、第２のカバー１３の移動が抑制される。
【００７３】
但し、第１のカバー７ａ及び第２のカバー１３は、端子相互の接続部を完全に覆う必要はなく、端子相互の電気的な接続を解除するための工具などが挿入できないように、端子相互の接続部を覆っていればよい。また、第２のカバー１３を固定する手段は上述の限りでなく、第１の端子３と一次側端子８との接続部を覆った状態で、第２のカバー１３を固定できれば構成は限定されない。
【００７４】
操作手段５の第２の軸部５ｃは、図９に示すように、筐体２の底部２ｅに形成された貫通孔２ｊに挿入されており、第２の軸部５ｃの突出部５ｈが当該貫通孔２ｊの周面から突出する突出部２ｋにｚ軸−側から接触している。これにより、操作手段５はｚ軸＋方向への移動が抑制される。
【００７５】
そして、カム１０ａの長径はｙ軸方向に配置され、係止部１０ｂがｙ軸方向に最も離間した状態であり、各々の係止部１０ｂの切り欠き部１０ｅに、可動部１１における被係止部１１ｄのリブ１１ｉが挿入されて当該被係止部１１ｄがカム機構１０に係止されている。これにより、可動部１１は操作手段５に保持される。
【００７６】
このとき、接続手段６の第１の接点６ａが第１の端子３に接触し、接続手段６の第２の接点６ｂが第２の端子４に接触した状態で、接続手段６はｚ軸−方向に押し込まれている。また、可動部１１の第２の弾性体１１ｅは、可動部１１の被係止部１１ｄと筐体２の底部２ｅとの間で圧縮した状態で配置されている。これにより、第１の端子３と第２の端子４が接続手段６によって電気的に接続されつつ、操作手段５及び可動部１１が筐体２に保持される。
【００７７】
また、操作手段５における第１の軸部５ｂの突出部５ｇは、可動部１１における筒部１１ａの切り欠き部１１ｆの第１の部分１１ｇに配置されている。このとき、可動部１１の第１の弾性体１１ｂは、操作手段５の摘まみ部５ａと筒部１１ａとの間で圧縮した状態で配置され、操作手段５における第１の軸部５ｂの突出部５ｇが可動部１１における筒部１１ａの切り欠き部１１ｆにｚ軸−側から接触する。
【００７８】
このように本実施の形態の接続器１は、操作手段５が第１の回転位置に配置されたとき、即ち、接続手段６によって第１の端子３と第２の端子４とが電気的に接続されたとき、第１のカバー７ａが第２の端子４と二次側端子９との接続部を覆った状態で第１の固定手段７ｂによって略固定される。そのため、第１の端子３と第２の端子４とが電気的に接続された状態で、第２の端子４と二次側端子９との電気的な接続を遮断することができず、作業者の感電を抑制でき、安全性が高い。
【００７９】
次に、本実施の形態の接続器１において、操作手段５を第１の回転位置から第２の回転位置に回転させた際の動作を説明する。図１４は、本実施の形態の接続器において、操作手段が第２の回転位置に配置された状態での操作手段と可動部とカム機構との関係を模式的に示す図である。図１５は、本実施の形態の接続器において、操作手段が第２の回転位置に配置された状態を模式的に示す一部透視図である。図１６は、本実施の形態の接続器において、操作手段が第２の回転位置に配置されて操作手段の突出部と筐体の突出部との係止関係が解除された状態を模式的に示す図である。図１７は、本実施の形態の接続器の第１のカバーが開いた状態を模式的に示す斜視図である。なお、各図において、図を明確にするために、一部の部材を省略している場合がある。
【００８０】
操作手段５を第１の回転位置から第２の回転位置に回転させると、図１４に示すように、カム機構１０のカム１０ａが回転して係止部１０ｂがｙ軸方向に最も接近した状態となり、各々の係止部１０ｂの切り欠き部１０ｅが可動部１１の被係止部１１ｄのリブ１１ｉから抜ける。これにより、可動部１１は操作手段５に対してｙ軸＋方向に移動可能な状態となり、図１５に示すように、可動部１１の第２の弾性体１１ｅの反発力によって可動部１１及び接続手段６がｚ軸＋方向に移動し、接続手段６による第１の端子３と第２の端子４との電気的な接続が遮断される。ここで、本実施の形態では、ｙ軸＋側に配置された第１の端子３と第２の端子４との電気的な接続と、ｙ軸−側に配置された第１の端子３と第２の端子４との電気的な接続と、が略同時に遮断される。
【００８１】
このとき、可動部１１の第２の弾性体１１ｅの反発力によって、接続手段６を急激にｚ軸＋方向に移動させることができ、第１の端子３と第２の端子４との電気的な接続を瞬間的に遮断することができる。そのため、第１の端子３と接続手段６の第１の接点６ａとの間、又は第２の端子４と接続手段６の第２の接点６ｂとの間でのアークの発生を抑制することができる。
【００８２】
そして、図１４及び図１６に示すように、ｚ軸方向から見て操作手段５における第２の軸部５ｃの突出部５ｈが筐体２における底部２ｅの突出部２ｋと重ならない位置に配置されると共に、操作手段５の突出部５ｇが可動部１１の第２の部分１１ｈの内部に配置される。これにより、可動部１１の第１の弾性体１１ｂの反発力によって操作手段５がｚ軸＋方向に移動する。
【００８３】
また、第１の固定手段７ｂの係合部７ｃが回転し、ｚ軸方向から見て当該係合部７ｃが被係合部７ｄと干渉しない位置に配置される。言い換えると、被係合部７ｄは、操作手段５が第２の回転位置に配置されたとき、ｚ軸方向から見て係合部７ｃと重ならないように形成されている。これにより、作業者が第１のカバー７ａをｘ軸−方向に移動させつつ、当該第１のカバー７ａを開方向に回転させると、図１７に示すように、第２の端子４と二次側端子９との接続部を露出させることができる。
【００８４】
一方、第２のカバー１３は、操作手段５が第２の回転位置に配置されても、第２の固定手段１５によって回転動作が抑制される。言い換えると、被係合部１５ｂは、操作手段５が第２の回転位置に配置されても、第２のカバー１３の回転動作が抑制されるようにｚ軸方向から見て係合部１５ａと重なり、且つ第２のカバー１３のｙ軸＋方向への移動を拘束するように形成されている。
【００８５】
このような本実施の形態の接続器１は、操作手段５が第２の回転位置に回転することで、接続手段６による第１の端子３と第２の端子４との電気的な接続が遮断された後に、作業者が第１のカバー７ａを開方向に回転させる動作を行うことになる。そのため、接続器１から二次側端子９を取り外す際に、作業者の感電を抑制でき、安全性が高い。しかも、本実施の形態の接続器１を直流経路内に設置した場合、接続器１から二次側端子９を取り外す際のアークの発生を抑制することができ、交流経路内だけでなく直流経路内に良好に設置することができる。
【００８６】
また、操作手段５が第２の回転位置に回転して、接続手段６による第１の端子３と第２の端子４との電気的な接続が遮断されても、第１の端子３へは電源が供給された状態となっているが、本実施の形態の接続器１は、第２のカバー１３が閉状態で固定されており、第２のカバー１３を簡単に開方向に回転させることはできないため、作業者が誤って接続器１から第１の端子３を取り外すことを抑制することができる。
【００８７】
ここで、本実施の形態の接続器１を直流経路内に設置した場合、接続手段６による第１の端子３と第２の端子４との電気的な接続を遮断する際に、接続手段６の第１の接点６ａと第１の端子３との間、又は接続手段６の第２の接点６ｂと第２の端子４との間でアークが発生する可能性がある。そのため、接続手段６の第１の接点６ａと第１の端子３との接続部近傍、及び接続手段６の第２の接点６ｂと第２の端子４との接続部近傍に夫々磁石１７を配置し、発生したアークを消弧可能な構成とすることが好ましい。これらの磁石１７は夫々、筐体２に形成された嵌合部２ｘに嵌合される。
【００８８】
ちなみに、操作手段５が第２の回転位置に配置された状態から接続手段６によって第１の端子３と第２の端子４とを電気的に接続するために操作手段５を第１の回転位置に回転させる場合は、操作手段５をｚ軸−方向に押し込むことで、第１の弾性体１１ｂを収縮させつつ筒部１１ａをｚ軸−方向に押し込み、筒部１１ａを最もｚ軸−方向に移動させると共に操作手段５の第２の軸部５ｃを筐体２の底部２ｅの貫通孔２ｊに挿入する。このとき、第１の端子３と第２の端子４とは接続手段６で電気的に接続される。
【００８９】
そして、操作手段５をｚ軸−方向にさらに押し込んで、操作手段５を最もｚ軸−方向に移動させる。このとき、被係止部１１ｄのリブ１１ｉとカム機構１０の係止部１０ｂとは、ｚ軸方向で略等しい位置に配置される。
【００９０】
この状態で操作手段５を第２の回転位置から第１の回転位置に回転させると、操作手段５の第２の軸部５ｃの突出部５ｈが筐体２の底部２ｅにおける貫通孔２ｊの突出部２ｋに対してｚ軸−側に配置されると共に、カム機構１０のカム１０ａの長径がｙ軸方向に配置され、係止部１０ｂの切り欠き部１０ｅに可動部１１における被係止部１１ｄのリブ１１ｉが挿入される。また、操作手段５における第１の軸部５ｂの突出部５ｇは、可動部１１における筒部１１ａの切り欠き部１１ｆの第１の部分１１ｇに配置される。
【００９１】
このとき、カム１０ａと係止部１０ｂとが共回りしないように、係止部１０ｂは、例えば、筐体２に形成された回転抑制部によって回転軸ＡＸ１回りの回転が抑制されるとよい。
【００９２】
そして、操作手段５の押し込みを止めると、上述した接続器１における操作手段５が第１の回転位置に配置された状態となる。このとき、上述のように第１のカバー７ａは第１の固定手段７ｂによって閉状態に略固定され、第２のカバー１３は第２の固定手段１５によって閉状態に略固定される。
【００９３】
＜実施の形態２＞
本実施の形態の接続器は、筐体を覆うカバーの開閉に連動して第１の端子と第２の端子との電気的な接続が切り替えられる。先ず、本実施の形態の接続器の構成を説明する。なお、実施の形態１と重複する説明は省略し、実施の形態１の接続器１と等しい部材には等しい符号を用いて説明する。
【００９４】
図１８は、本実施の形態の接続器を模式的に示す斜視図である。図１９は、本実施の形態の接続器の内部構造を模式的に示す斜視図である。図２０は、本実施の形態の可動部における伝達部を模式的に示す斜視図である。図２１は、本実施の形態の第１のカバーを模式的に示す斜視図である。図２２は、本実施の形態の接続器を模式的に示す断面図である。図２３は、本実施の形態の第１の付勢手段周辺を示す拡大断面図である。なお、各図において、図を明確にするために、一部の部材を省略している場合がある。
【００９５】
図１８乃至図２３に示すように、本実施の形態の接続器２１は、筐体２２、第１の端子２３、第２の端子２４、接続手段２５、可動部２６及び遮断可否手段２７を備えている。ここで、本実施の形態の接続器２１も、ディファレンシャルモードの接続器として構成されている。
【００９６】
筐体２２は、絶縁部材から成り、ｚ軸＋側に開口部が形成された箱形状を基本形態としている。即ち、筐体２２は、図１９に示すように、ｘ軸＋側に配置された側部２２ａ、ｘ軸−側に配置された側部２２ｂ、ｙ軸＋側に配置された側部２２ｃ、ｙ軸−側に配置された側部２２ｄ、及びｚ軸−側に配置された底部２２ｅを備えている。
【００９７】
さらに、筐体２２は、図１９に示すように、側部２２ａにおけるｙ軸方向の略中央からｘ軸−側に延在する第１のリブ２２ｆ、側部２２ａに形成され、且つ一次側端子８が挿入される第１の切り欠き部２２ｇ、側部２２ｂにおけるｙ軸方向の略中央からｘ軸＋側に延在する第２のリブ２２ｈ、側部２２ｂに形成され、且つ二次側端子９が挿入される第２の切り欠き部２２ｉ、及びｙ軸方向において第１のリブ２２ｆと第２のリブ２２ｈとの間に配置され、底部２２ｅからｚ軸＋方向に突出する突出部２２ｊを備えている。
【００９８】
第１の端子２３は、図１９に示すように、平板状の導電部材から成り、ボルト２８を介して一次側端子８と電気的に接続される。そして、第１の端子２３は、筐体２２の第１のリブ２２ｆをｙ軸方向で挟み込むように配置されており、筐体２２の底部２２ｅのｚ軸＋側の面に固定されている。このとき、第１のリブ２２ｆは、ｙ軸方向で並ぶ第１の端子２３の短絡を防止することになる。
【００９９】
第２の端子２４は、図１９に示すように、平板状の導電部材から成り、ボルト２８を介して二次側端子９と電気的に接続される。そして、第２の端子２４は、筐体２２の第２のリブ２２ｈをｙ軸方向で挟み込むように配置されており、筐体２２の底部２２ｅのｚ軸＋側の面に固定されている。このとき、第２のリブ２２ｈは、ｙ軸方向で並ぶ第２の端子２４の短絡を防止することになる。
【０１００】
接続手段２５は、図２２に示すように、第１の端子２３と第２の端子２４との間に配置されており、第１の端子２３と第２の端子２４とをｚ軸−側から電気的に接続する。本実施の形態の接続手段２５は、導電部材から成る板バネであり、略Ｗ形状を基本形態としている。そして、接続手段２５におけるｘ軸＋側の端部から第１の接点２５ａがｘ軸＋方向に延在しており、第１の接点２５ａは第１の端子２３に対してｚ軸−側に配置されている。一方、接続手段２５におけるｘ軸−側の端部から第２の接点２５ｂがｘ軸−方向に延在しており、第２の接点２５ｂは第２の端子２４に対してｚ軸−側に配置されている。
【０１０１】
可動部２６は、接続手段２５をｚ軸方向に移動させる。本実施の形態の可動部２６は、図１９に示すように、伝達部２６ａ及び軸２６ｂを備えている。伝達部２６ａは、図２０に示すように、ｙ軸方向に間隔を開けて配置され、軸２６ｂが嵌合される被嵌合部２６ｃ、及び被嵌合部２６ｃを連結する連結部２６ｄを備えており、ｚ軸方向から見て被嵌合部２６ｃと連結部２６ｄとで井桁形状を成す。そして、図１９に示すように、被嵌合部２６ｃと連結部２６ｄとで囲まれた空間内に筐体２２の突出部２２ｊが挿入されている。そのため、伝達部２６ａは、筐体２２の突出部２２ｊによってｚ軸方向に案内される。
【０１０２】
軸２６ｂは、ｙ軸方向に延在する軸である。軸２６ｂは、筐体２２の側部２２ｃに形成された貫通孔２２ｋ、筐体２２の突出部２２ｊに形成された貫通孔２２ｌ（図２３を参照）、及び筐体２２の側部２２ｄに形成された貫通孔２２ｍに通されている。これらの貫通孔２２ｋ、２２ｌ、２２ｍは、ｚ軸方向に延在しており、軸２６ｂのｚ軸方向の移動を案内する。このような軸２６ｂには、略Ｗ形状を基本形態とする接続手段２５の頂部が固定されており、ｙ軸方向から見て軸２６ｂを挟んで第１の接点２５ａと第２の接点２５ｂとが配置されている。
【０１０３】
遮断可否手段２７は、図１８及び図２２に示すように、第１のカバー２９、第２のカバー３０及び第１の付勢手段３１を備えている。第１のカバー２９は、絶縁部材から成り、軸３２を介して筐体２２に回転可能に連結されている。そして、第１のカバー２９は、閉状態（即ち、筐体２２の側部２２ｃ、２２ｄ及び第１のリブ２２ｆのｚ軸＋側の面に載置された状態）で第１の端子２３と一次側端子８との接続部を覆い、開状態で第１の端子２３と一次側端子８との接続部を露出させる。
【０１０４】
軸３２は、ｙ軸方向に延在している。そして、軸３２は、筐体２２の側部２２ｃ、２２ｄ及び突出部２２ｊに形成された貫通孔に通されており、可動部２６に対してｚ軸＋側に配置されている。このような第１のカバー２９は、第１の端子２３と第２の端子２４との電気的な接続と、第１の端子２３と第２の端子２４との電気的な接続の遮断と、を切り替えるために操作される操作手段として機能する。
【０１０５】
本実施の形態の第１のカバー２９は、図１８に示すように、本体部２９ａ及び筒部２９ｂを備えている。本体部２９ａは、平板部材から成り、筐体２２の側部２２ｃ、２２ｄ及び第１のリブ２２ｆのｚ軸＋側の面に載置可能な形状とされている。
【０１０６】
筒部２９ｂは、本体部２９ａのｘ軸−側の縁部に設けられており、ｙ軸方向に間隔を開けて複数（本実施の形態では２個）配置されている。筒部２９ｂは、ｙ軸方向から見てカム形状のカム面２９ｃを備えている。そして、筒部２９ｂは、ｙ軸方向に貫通する貫通孔を備えており、当該貫通孔に軸３２が通されることで、第１のカバー２９が筐体２２に連結されている。このような筒部２９ｂは、後述するように、第１のカバー２９が回転した際にカム面２９ｃが可動部２６における被嵌合部２６ｃのｚ軸＋側の面に接触して、当該可動部２６を介して接続手段２５を押し込む押し込み手段として機能する。
【０１０７】
第２のカバー３０も、絶縁部材から成り、図１８に示すように、第１のカバー２９と共通の軸３２を介して筐体２２に回転可能に連結されている。そして、第２のカバー３０は、閉状態（即ち、筐体２２の側部２２ｃ、２２ｄ及び第２のリブ２２ｈのｚ軸＋側の面に載置された状態）で第２の端子２４と二次側端子９との接続部を覆い、開状態で第２の端子２４と二次側端子９との接続部を露出させる。このような第２のカバー３０も、後述するように、第１の端子２３と第２の端子２４との電気的な接続と、第１の端子２３と第２の端子２４との電気的な接続の遮断と、を切り替えるために操作される操作手段として機能する。
【０１０８】
本実施の形態の第２のカバー３０は、図２１に示すように、本体部３０ａ及び筒部３０ｂを備えている。本体部３０ａは、平板部材から成り、筐体２２の側部２２ｃ、２２ｄ及び第２のリブ２２ｈのｚ軸＋側の面に載置可能な形状とされている。
【０１０９】
筒部３０ｂは、本体部３０ａのｘ軸＋側の縁部に設けられており、ｙ軸方向に間隔を開けて複数（本実施の形態では２個）配置されている。筒部３０ｂは、ｙ軸方向から見てカム形状のカム面３０ｃを備えている。そして、筒部３０ｂは、ｙ軸方向に貫通する貫通孔３０ｄを備えており、当該貫通孔３０ｄに軸３２が通されることで、第２のカバー３０が筐体２２に連結される。このような筒部３０ｂは、後述するように、第２のカバー３０が回転した際にカム面３０ｃが可動部２６における被嵌合部２６ｃのｚ軸＋側の面に接触して、当該可動部２６を介して接続手段２５を押し込む押し込み手段として機能する。
【０１１０】
第１の付勢手段３１は、可動部２６のｚ軸−側から当該可動部２６をｚ軸＋方向に付勢する。第１の付勢手段３１は、例えば、図２２及び図２３に示すように、コイルバネから成り、ｚ軸−側の端部が筐体２２の底部２２ｅに形成された嵌合部２２ｎに嵌合され、ｚ軸＋側の端部が可動部２６の軸２６ｂに形成された嵌合部２６ｅに嵌合されている。このような第１の付勢手段３１は、可動部２６の軸２６ｂに対してｚ軸−側に配置されており、当該軸２６ｂにおけるｙ軸方向の略中央に配置されている。但し、第１の付勢手段３１は、コイルバネに限らず、可動部２６をｚ軸＋方向に付勢できる部材であればよい。また、第１の付勢手段３１の配置及び個数は、適宜、変更することができる。
【０１１１】
次に、本実施の形態の接続器２１において、第１の端子２３と第２の端子２４とが接続手段２５を介して電気的に接続された状態を説明する。このような場合、第１のカバー２９は、第１の端子２３と一次側端子８との接続部を覆うように閉状態であると共に、第２のカバー３０は、第２の端子２４と二次側端子９との接続部を覆うように閉状態である。
【０１１２】
このとき、第１のカバー２９における筒部２９ｂのカム面２９ｃ及び第２のカバー３０における筒部３０ｂのカム面３０ｃは、図２２に示すように、何れも可動部２６における被嵌合部２６ｃのｚ軸＋側の面と非接触状態であり、第１のカバー２９における筒部２９ｂのカム面２９ｃ及び第２のカバー３０における筒部３０ｂのカム面３０ｃは、可動部２６をｚ軸−方向に押し込まない。そのため、接続手段２５の第１の接点２５ａが第１の端子２３に接触し、接続手段２５の第２の接点２５ｂが第２の端子２４に接触するように、接続手段２５は、ｚ軸−側から第１の付勢手段３１によって押し込まれる。
【０１１３】
次に、本実施の形態の接続器２１において、第１の端子２３と第２の端子２４との電気的な接続を遮断する流れを説明する。図２４は、本実施の形態の接続器において、第１の端子と第２の端子との電気的な接続が遮断された状態を示す断面斜視図である。図２５は、本実施の形態の接続器において、第１の端子と第２の端子との電気的な接続が遮断された状態を示す断面図である。
【０１１４】
第１の端子２３と一次側端子８との接続部を露出させるために作業者が第１のカバー２９を開方向に回転、又は第２の端子２４と二次側端子９との接続部を露出させるために作業者が第２のカバー３０を開方向に回転させると、図２４及び図２５に示すように、第１のカバー２９における筒部２９ｂのカム面２９ｃ又は第２のカバー３０における筒部３０ｂのカム面３０ｃが可動部２６における被嵌合部２６ｃのｚ軸＋側の面に接触し、第１のカバー２９又は第２のカバー３０の回転に伴って可動部２６がｚ軸−方向に押し込まれる。これにより、接続手段２５がｚ軸−方向に押し込まれて第１の端子２３と第２の端子２４との電気的な接続が遮断されると共に、第１のカバー２９又は第２のカバー３０が開状態とされる。ここで、本実施の形態では、ｙ軸＋側に配置された第１の端子２３と第２の端子２４との電気的な接続と、ｙ軸−側に配置された第１の端子２３と第２の端子２４との電気的な接続と、が略同時に遮断される。
【０１１５】
そして、第１のカバー２９及び第２のカバー３０を再び閉状態とすると、上述したように第１のカバー２９における筒部２９ｂのカム面２９ｃ及び第２のカバー３０における筒部３０ｂのカム面３０ｃは、可動部２６における被嵌合部２６ｃのｚ軸＋側の面と非接触となり、第１の付勢手段３１によって接続手段２５がｚ軸＋方向に押し込まれ、接続手段２５の第１の接点２５ａを第１の端子２３に接触させ、第２の接点２５ｂを第２の端子２４に接触させることができる。
【０１１６】
このような本実施の形態の接続器２１は、作業者が第２のカバー３０を開方向に回転させて、接続手段２５による第１の端子２３と第２の端子２４との電気的な接続が遮断された後に、接続器２１から二次側端子９を取り外す作業を行うことになる。そのため、接続器２１から二次側端子９を取り外す際に、作業者の感電を抑制でき、安全性が高い。しかも、本実施の形態の接続器２１を直流経路内に設けた場合、第２の端子２４と二次側端子９との間でのアークの発生を抑制することができ、交流経路内だけでなく直流経路内に良好に設置することができる。
【０１１７】
ちなみに、接続器２１から一次側端子８を取り外す際には、一次側端子８への電源の供給を遮断してから、第１のカバー２９を開けて接続器２１から一次側端子８を取り外すとよい。
【０１１８】
ここで、本実施の形態の接続器２１を直流経路内に設けた場合、接続手段２５による第１の端子２３と第２の端子２４との電気的な接続を遮断する際に、接続手段２５の第１の接点２５ａと第１の端子２３との間、又は接続手段２５の第２の接点２５ｂと第２の端子２４との間でアークが発生する可能性がある。そのため、接続手段２５の第１の接点２５ａと第１の端子２３との接続部近傍、及び接続手段２５の第２の接点２５ｂと第２の端子２４との接続部近傍に夫々磁石を配置し、発生するアークを消弧可能な構成とすることが好ましい。
【０１１９】
また、接続手段２５の第１の接点２５ａと第１の端子２３との電気的な接続の遮断、及び接続手段２５の第２の接点２５ｂと第２の端子２４との電気的な接続の遮断を瞬間的に行うことができるように、遮断可否手段２７は、第１のカバー２９又は第２のカバー３０が開く際に、第１のカバー２９又は第２のカバー３０の回転角度が所定の回転角度より大きくなると、第１のカバー２９又は第２のカバー３０を開方向に付勢する第２の付勢手段を備えていることが好ましい。
【０１２０】
第２の付勢手段は、例えば、トーションバネから成り、コイル部に第１のカバー２９及び第２のカバー３０を筐体２２に連結する軸３２が通されており、一方の端部が筐体２２に固定され、他方の端部が第１のカバー２９又は第２のカバー３０に固定されている。そして、第２の付勢手段は、第１のカバー２９又は第２のカバー３０の回転角度が所定の回転角度より大きくなると、第１のカバー２９又は第２のカバー３０を開方向に付勢する。これにより、接続手段２５の第１の接点２５ａと第１の端子２３との間、又は接続手段２５の第２の接点２５ｂと第２の端子２４との間でアークが発生しても、アークの発生時間を短縮することができ、接続器２１の損傷を抑制することができる。但し、本実施の形態では、トーションバネを用いたが、引っ張りバネや圧縮バネなどを用いてもよく、要するに、第１のカバー２９又は第２のカバー３０の回転角度が所定の回転角度より大きくなると、第１のカバー２９又は第２のカバー３０を急激に開放させることができる構成であればよい。
【０１２１】
または、第１のカバー２９又は第２のカバー３０を開ける際に当該第１のカバー２９又は第２のカバー３０の回転角度が所定の回転角度より大きくなると、可動部２６が急激にｚ軸−方向に押し込まれるように、第１のカバー２９における筒部２９ｂのカム面２９ｃ並びに第２のカバー３０における筒部３０ｂのカム面３０ｃ、及び可動部２６における伝達部２６ａのｚ軸＋側の面の形状が設定されていてもよい。
【０１２２】
これらの場合、所定の回転角度は、例えば、一次側端子８と第１の端子２３との接続状態、又は二次側端子９と第２の端子２４との接続状態を解除するための工具（例えば、ドライバ）を第１のカバー２９又は第２のカバー３０と筐体２２との隙間から挿入可能な角度に設定するとよい。
【０１２３】
接続器２１は、図２２に示すように、第１のカバー２９の開方向への回転を抑制する第１の回転抑制手段３３、及び第２のカバー３０の開方向への回転を抑制する第２の回転抑制手段３４を備えていることが好ましい。第１の回転抑制手段３３は、係合部３３ａ及び被係合部３３ｂを備えている。
【０１２４】
係合部３３ａは、例えば、第１のカバー２９におけるｚ軸−側の面から突出し、弾性変形可能な爪部である。被係合部３３ｂは、例えば、可動部２６に設けられた引っ掛け部である。そして、第１のカバー２９が閉じた状態で、係合部３３ａは被係合部３３ｂに引っ掛けられて（係合されて）当該第１のカバー２９の回転が抑制され、第１の端子２３と一次側端子８との接続部を露出させるために第１のカバー２９を開方向に回転させると、係合部３３ａが弾性変形して被係合部３３ｂとの係合状態が解除される。これにより、第１のカバー２９の開方向への回転を抑制することができる。
【０１２５】
第２の回転抑制手段３４は、第２のカバー３０に設けられた係合部３４ａ及び可動部２６に設けられた被係合部３４ｂを備え、係合部３４ａは第１の回転抑制手段３３の係合部３３ａと略等しい構成であり、被係合部３４ｂは第１の回転抑制手段３３の被係合部３３ｂと略等しい構成であるため、説明を省略する。
【０１２６】
本実施の形態では、第１のカバー２９を第２のカバー３０と同様に開閉可能な構成としたが、接続手段２５によって第１の端子２３と第２の端子２４とが電気的に接続されたとき、第１のカバー２９で第１の端子２３と一次側端子８との接続部を覆った状態で当該第１のカバー２９を固定できればよい。
【０１２７】
例えば、図１８に示すように、固定手段３５を用いて第１のカバー２９が固定される。固定手段３５は、第１のカバー２９のｘ軸＋側の端部をｚ軸＋側から押さえる押さえ部材３５ａ、及び押さえ部材３５ａを筐体２２の側部２２ａに固定するボルト３５ｂを備えている。これにより、第１のカバー２９が閉じた状態で当該第１のカバー２９のｘ軸＋側の端部を押さえ部材３５ａで押さえ、当該押さえ部材３５ａをボルト３５ｂで筐体２２の側部２２ａに固定すると、第１のカバー２９を閉じた状態で固定することができる。但し、固定手段３５は、第１のカバー２９を閉じた状態で固定できる構成であればよい。
【０１２８】
＜実施の形態３＞
本実施の形態の接続器は、第１の端子にピン形状（例えば、短絡コネクタ）である一次側端子が接続可能であり、第２の端子にピン形状（例えば、短絡コネクタ）の二次側端子が接続可能な構成とされている。先ず、本実施の形態の接続器の構成を説明する。なお、実施の形態１と重複する説明は省略し、実施の形態１の接続器１と等しい部材には等しい符号を用いて説明する。
【０１２９】
図２６は、本実施の形態の接続器を模式的に示す斜視図である。図２７は、本実施の形態の接続器の内部構造を模式的に示す斜視図である。図２８は、本実施の形態の接続器において、蓋部が省略され、操作手段が第１の位置に配置された状態を模式的に示す平面図である。図２９は、本実施の形態の接続器において、操作手段が第１の位置に配置された状態での操作手段及び遮断可否手段などを模式的に示す正面図である。図３０は、本実施の形態の接続器において、操作手段が第１の位置に配置された状態での操作手段及び遮断可否手段などを模式的に示す斜視図である。図３１は、本実施の形態の接続器において、操作手段が第１の位置に配置された状態での操作手段及び遮断可否手段などを模式的に示す異なる斜視図である。なお、各図において、図を明確にするために、一部の部材を省略している場合がある。
【０１３０】
図２６乃至図３１に示すように、本実施の形態の接続器４１は、筐体４２、第１の端子４３、第２の端子４４、操作手段４５、遮断可否手段４６及び蓋部４７を備えている。ここで、本実施の形態の接続器４１も、ディファレンシャルモードの接続器として構成されている。
【０１３１】
筐体４２は、絶縁部材から成り、図２７に示すように、ｚ軸＋側に開口部が形成された箱形状を基本形態としている。即ち、筐体４２は、ｘ軸＋側に配置された側部４２ａ、ｘ軸−側に配置された側部４２ｂ、ｙ軸＋側に配置された側部４２ｃ、ｙ軸−側に配置された側部４２ｄ、及びｚ軸−側に配置された底部４２ｅを備えており、側部４２ａに一次側端子が挿入される切り欠き部４２ｆが形成され、側部４２ｂに二次側端子が挿入される切り欠き部４２ｇが形成されている。
【０１３２】
さらに、筐体４２は、ｙ軸方向の略中央に配置され、且つｘ軸方向に延在する第１のリブ４２ｈ及び第２のリブ４２ｉを備えている。第１のリブ４２ｈと第２のリブ４２ｉとは、ｘ軸方向に間隔を開けて配置されている。
【０１３３】
第１の端子４３は、導電部材からなり、例えば、図２７に示すように、被嵌合部４３ａ及び接点４３ｂを備えている。被嵌合部４３ａには、一次側端子４８が嵌合される。被嵌合部４３ａは、例えば、本体部４３ｃ及び挟持部４３ｄを備えている。
【０１３４】
本体部４３ｃは、例えば、ｘ軸方向から見ると略Ｕ字形状に形成されており、底部が筐体４２の底部４２ｅにおけるｚ軸＋側の面に固定されている。挟持部４３ｄは、例えば、本体部４３ｃからｘ軸＋方向に延在しており、一次側端子４８をｙ軸方向から挟持可能な形状とされている。
【０１３５】
接点４３ｂは、被嵌合部４３ａのｘ軸−側の端部から突出する。接点４３ｂは、例えば、ｘ軸方向から見て山形状に折り曲げられた板バネであり、ｙ軸方向から見て第１のリブ４２ｈと第２のリブ４２ｉとの間に配置されている。このような第１の端子４３は、ｙ軸方向で第１のリブ４２ｈを挟み込むように配置されており、第１の端子４３の接点４３ｂの先端部同士がｙ軸方向で向かい合う。
【０１３６】
第２の端子４４は、導電部材からなり、例えば、図２７に示すように、被嵌合部４４ａ及び接点４４ｂを備えている。被嵌合部４４ａは、二次側端子４９が嵌合される。被嵌合部４４ａは、例えば、本体部４４ｃ及び挟持部４４ｄを備えている。
【０１３７】
本体部４４ｃは、例えば、ｘ軸方向から見ると略Ｕ字形状に形成されており、底部が筐体４２の底部４２ｅにおけるｚ軸＋側の面に固定されている。挟持部４４ｄは、例えば、本体部４４ｃからｘ軸−方向に延在しており、二次側端子４９をｙ軸方向から挟持可能な形状とされている。
【０１３８】
接点４４ｂは、被嵌合部４４ａのｘ軸＋側の端部から突出する。接点４４ｂは、例えば、ｘ軸方向から見て山形状に折り曲げられた板バネであり、当該接点４４ｂの先端部がｘ軸方向で隣接する第１の端子４３の接点４３ｂの先端部とｘ軸方向で並ぶように配置されている。そして、接点４４ｂは、ｙ軸方向から見て第１のリブ４２ｈと第２のリブ４２ｉとの間に配置されている。このような第２の端子４４は、ｙ軸方向で第２のリブ４２ｉを挟み込むように配置されており、第２の端子４４の接点４４ｂの先端部同士がｙ軸方向で向かい合う。
【０１３９】
操作手段４５は、絶縁部材から成り、ｙ軸方向にスライドするスライド部材である。操作手段４５は、例えば、図２８及び図２９に示すように、本体部４５ａ、摘まみ部４５ｂ、規制部４５ｃ及び被嵌合部４５ｄを備えている。
【０１４０】
本体部４５ａは、例えば、板状に形成されており、第１のリブ４２ｈ及び第２のリブ４２ｉにおけるｚ軸＋側の面に載置されている。摘まみ部４５ｂは、操作手段４５をスライドさせる際に作業者によって操作される部位であり、本体部４５ａからｚ軸＋方向に突出している。
【０１４１】
規制部４５ｃは、操作手段４５のスライド方向をｙ軸方向に規制する。規制部４５ｃは、例えば、図２８に示すように、本体部４５ａからｙ軸方向に突出しており、筐体４２の側部４２ｃのｚ軸＋側の面に形成された案内溝４２ｊ又は側部４２ｄのｚ軸＋側の面に形成された案内溝４２ｋに係合されている。案内溝４２ｊ及び４２ｋは、ｙ軸方向に延在している。これにより、操作手段４５を精度良くｙ軸方向にスライドさせることができる。
【０１４２】
被嵌合部４５ｄは、例えば、図２９に示すように、突出部４５ｅ及び凹部４５ｆを備えており、筐体４２における第１のリブ４２ｈと第２のリブ４２ｉとの間でｙ軸方向に移動する。突出部４５ｅは、本体部４５ａからｚ軸−方向に突出する。凹部４５ｆは、突出部４５ｅのｚ軸−側の面からｚ軸＋方向に延在している。
【０１４３】
遮断可否手段４６は、例えば、図２９乃至図３１に示すように、接続手段５０、弾性体５１及び抜去防止手段５２を備えている。接続手段５０は、例えば、本体部５０ａ、嵌合部５０ｂ、接点５０ｃ及びピン５０ｄを備えている。
【０１４４】
本体部５０ａは、絶縁部材から成り、筐体４２における第１のリブ４２ｈと第２のリブ４２ｉとの間でｙ軸方向に移動する。本体部５０ａは、例えば、板状に形成されており、長手方向がｙ軸方向に配置されている。
【０１４５】
嵌合部５０ｂは、絶縁部材から成り、例えば、突出部５０ｅ及び凸部５０ｆを備えている。突出部５０ｅは、本体部５０ａからｚ軸＋方向に突出している。凸部５０ｆは、突出部５０ｅのｚ軸＋側の面からｚ軸＋方向に突出しており、操作手段４５の凹部４５ｆに嵌合されている。ちなみに、嵌合部５０ｂは、リブ５０ｇによって補強されていることが好ましい。
【０１４６】
但し、本実施の形態では、接続手段５０の凸部５０ｆを操作手段４５の凹部４５ｆに嵌合しているが、接続手段５０に形成した凹部に操作手段４５に形成した凸部を嵌合してもよい。また、接続手段５０の突出部５０ｅ又は操作手段４５の突出部４５ｅを省略してもよい。要するに、操作手段４５のスライド動作を接続手段５０に伝達できる構成であればよい。
【０１４７】
接点５０ｃは、導電部材から成り、ｙ軸方向で嵌合部５０ｂを挟み込むように、本体部５０ａに固定されている。そして、接点５０ｃは、本体部５０ａが最もｙ軸＋側に配置された状態で、第１の端子４３の接点４３ｂの先端部と第２の端子４４の接点４４ｂの先端部とに接触し、本体部５０ａが最もｙ軸−側に配置された状態で、第１の端子４３の接点４３ｂの先端部と第２の端子４４の接点４４ｂの先端部とに接触しない。
【０１４８】
ピン５０ｄは、例えば、図３１に示すように、本体部５０ａからｚ軸−方向に突出しており、弾性体５１による弾性力を本体部５０ａに伝達する。
【０１４９】
弾性体５１は、本体部５０ａをｙ軸−方向にスライドさせた際に、所定のスライド量を超えるとｙ軸−方向に付勢する。弾性体５１は、例えば、筐体４２の底部４２ｅにおけるｚ軸＋側の面に固定されており、図３１に示すように、ｚ軸方向から見て倒Ｖ字形状を基本形態としている。
【０１５０】
抜去防止手段５２は、接続手段５０を介して第１の端子４３と第２の端子４４とが電気的に接続された状態で、二次側端子４９における第２の端子４４からの抜去を防止する。抜去防止手段５２は、例えば、図２９及び図３０に示すように、溝部５２ａ及び凸部５２ｂを備えている。
【０１５１】
溝部５２ａは、二次側端子４９の周方向の少なくとも一部に形成されている。凸部５２ｂは、操作手段４５の本体部４５ａからｚ軸−方向に突出している。このような凸部５２ｂは、操作手段４５の本体部４５ａが最もｙ軸＋側にスライドした第１の位置で溝部５２ａと係合状態とされ、操作手段４５の本体部４５ａが最もｙ軸−側にスライドした第２の位置で溝部５２ａと非係合状態とされる。
【０１５２】
なお、本実施の形態では、一次側端子４８における第１の端子４３からの抜去も防止できるように、一次側端子４８に溝部５２ａを形成し、一次側端子４８の溝部５２ａに係合可能な凸部５２ｂを本体部４５ａに形成している。
【０１５３】
蓋部４７は、図２６に示すように、操作手段４５を覆うように筐体４２に固定されている。蓋部４７は、例えば、貫通孔４７ａを備えており、当該貫通孔４７ａに操作手段４５の摘まみ部４５ｂが通されている。貫通孔４７ａは、操作手段４５の摘まみ部４５ｂのｙ軸方向への移動を許容する。このような蓋部４７は、筐体４２をｚ軸＋側から覆い、周縁部が筐体４２の側部４２ａ、４２ｂ、４２ｃ、４２ｄに固定されている。
【０１５４】
次に、本実施の形態の接続器４１において、操作手段４５の本体部４５ａが第１の位置に配置された状態を説明する。このとき、操作手段４５の本体部４５ａは、最もｙ軸＋側にスライドした状態であり、当該本体部４５ａの凸部５２ｂが一次側端子４８及び二次側端子４９の溝部５２ａに係合している。
【０１５５】
そして、接続手段５０の本体部５０ａは操作手段４５の本体部４５ａと連結されているので、接続手段５０の本体部５０ａも最もｙ軸＋側にスライドした状態であり、接点５０ｃを介して第１の端子４３と第２の端子４４とは電気的に接続されている。
【０１５６】
ここで、接続手段５０のピン５０ｄは、遮断可否手段４６の弾性体５１における頂部に対してｙ軸＋側に配置されている。
【０１５７】
このように本実施の形態の接続器４１は、接続手段５０を介して第１の端子４３と第２の端子４４とが電気的に接続されている状態で、一次側端子４８を第１の端子４３から抜去しようとしたり、二次側端子４９を第２の端子４４から抜去しようとしたり、しても、各々の端子４８、４９に形成された溝部５２ａに操作手段４５の本体部４５ａに形成された凸部５２ｂが係合しているため、各々の端子４８、４９を抜去することができない。そのため、作業者の感電を抑制でき、安全性が高い。
【０１５８】
次に、本実施の形態の接続器４１において、操作手段４５の本体部４５ａが第１の位置から第２の位置にスライドした際の動作を説明する。図３２は、本実施の形態の接続器において、操作手段の本体部が第２の位置に配置された状態での遮断可否手段などを模式的に示す図である。図３３は、本実施の形態の接続器において、操作手段が第２の位置に配置された状態での接続手段と第１の端子と第２の端子との関係を模式的に示す図である。なお、各図において、図を明確にするために、一部の部材を省略して示している場合がある。
【０１５９】
作業者が操作手段４５の摘まみ部４５ｂを介して当該操作手段４５の本体部４５ａを最もｙ軸−側（即ち、第２の位置）までスライドさせると、図３２に示すように、操作手段４５の本体部４５ａに形成された凸部５２ｂが各々の端子４８、４９に形成された溝部５２ａから抜け出して、凸部５２ｂと溝部５２ａとの係合状態が解除される。これにより、一次側端子４８は第１の端子４３の挟持部４３ｄから抜去可能となり、二次側端子４９は第２の端子４４の挟持部４４ｄから抜去可能となる。
【０１６０】
そして、操作手段４５の本体部４５ａに接続手段５０の本体部５０ａは連結されているので、接続手段５０の本体部５０ａも最もｙ軸−側にスライドし、図３３に示すように、接点５０ｃは、第１の端子４３の接点４３ｂの先端部及び第２の端子４４の接点４４ｂの先端部から離間する。これにより、第１の端子４３と第２の端子４４との電気的な接続が遮断される。ここで、本実施の形態では、ｙ軸＋側に配置された第１の端子４３と第２の端子４４との電気的な接続と、ｙ軸−側に配置された第１の端子４３と第２の端子４４との電気的な接続と、が略同時に遮断される。
【０１６１】
このように本実施の形態の接続器４１は、作業者が操作手段４５の摘まみ部４５ｂを介して本体部４５ａをスライドさせることで、各々の接点５０ｃ、５０ｄによる第１の端子４３と第２の端子４４との電気的な接続が遮断された後に、第２の端子４４の挟持部４４ｄから二次側端子４９を抜去することになる。そのため、第２の端子４４の挟持部４４ｄから二次側端子４９を抜去する際に、作業者の感電を抑制でき、安全性が高い。しかも、本実施の形態の接続器４１を直流経路内に設置した場合、第２の端子４４と二次側端子４９との間でのアークの発生を抑制することができ、交流経路内だけでなく、直流経路内に良好に設置することができる。
【０１６２】
なお、第１の端子４３の挟持部４３ｄから一次側端子４８を抜去する際には、一次側端子４８への電源の供給を遮断してから当該一次側端子４８を抜去するとよい。
【０１６３】
ここで、接続手段５０の本体部５０ａがｙ軸−方向にスライドするのに伴って、接続手段５０のピン５０ｄはｙ軸＋側から遮断可否手段４６の弾性体５１に接触して当該弾性体５１を押し込んで変形させ、ピン５０ｄが弾性体５１の頂部を超えると、ピン５０ｄがｙ軸＋側から弾性体５１によって付勢される。これにより、接続手段５０のピン５０ｄが所定のスライド量に達すると、接続手段５０の本体部５０ａを急激にスライドさせることができ、接点５０ｃと第１の端子４３との電気的な接続の遮断、及び接点５０ｃと第２の端子４４との電気的な接続の遮断を瞬間的に行うことができる。これにより、接点５０ｃと第１の端子４３との間、又は接点５０ｃと第２の端子４４との間でアークが発生しても、アークの発生時間を短縮することができ、接続器４１の損傷を抑制することができる。
【０１６４】
なお、本実施の形態の接続器４１も、接点５０ｃと第１の端子４３との接続部近傍、及び接点５０ｃと第２の端子４４との接続部近傍に夫々磁石を配置し、発生するアークを消弧可能な構成とすることが好ましい。
【０１６５】
ちなみに、操作手段４５の摘まみ部４５ｂを介して本体部４５ａを第２の位置から第１の位置にスライドさせると、再び、接点５０ｃを介して第１の端子４３と第２の端子４４とを電気的に接続しつつ、一次側端子４８及び二次側端子４９の抜去を防止することができる。
【０１６６】
＜実施の形態４＞
なお、実施の形態３の接続器４１は、第１の端子４３に一次側端子４８が嵌合される構成とされているが、図３４及び図３５に示すように、第１の端子６１がコンセントに係合可能なプラグ部６１ａを備える構成としてもよい。また、図３６及び図３７に示すように、第１の端子６２がサーバーラックなどで用いられるコンセントに係合可能なプラグ部６２ａを備える構成としてもよい。但し、プラグ部の形状は限定されず、コンセントに対応する形状であればよい。また、第１の端子として接地端子を備えていてもよく、端子の数は限定されない。
【０１６７】
＜実施の形態５＞
本実施の形態の接続器は、実施の形態２の接続器２１に対して、より確実に可動部２６を急激にｚ軸−方向に押し込むことが可能な構成とされている。先ず、本実施の形態の接続器の構成を説明する。なお、本実施の形態の接続器は、実施の形態２の接続器２１と略等しい構成とされているため、実施の形態２と重複する説明は省略し、実施の形態２の接続器２１と等しい部材には等しい符号を用いて説明する。
【０１６８】
図３８は、本実施の形態の接続器において、第２のカバーが閉じた状態での連動手段などを模式的に示す正面図である。図３９は、本実施の形態の接続器において、第２のカバーが閉じた状態での連動手段などを模式的に示す斜視図である。図４０は、本実施の形態の接続器において、第２のカバーが閉じた状態での連動手段などを模式的に示す異なる斜視図である。図４１は、本実施の形態の接続器における可動部の伝達部を模式的に示す斜視図である。図４２は、本実施の形態の接続器において、第２のカバーが閉じた状態での第１の付勢手段を模式的に示す斜視図である。
【０１６９】
図３８乃至図４０に示すように、本実施の形態の接続器７１は、実施の形態２の接続器２１と略等しい構成とされているが、遮断可否手段７２として、第２のカバー３０に加えて、連動手段７３及び第１の付勢手段７４を備えている。ここで、本実施の形態の接続器７１も、ディファレンシャルモードの接続器として構成されている。
【０１７０】
本実施の形態の第２のカバー３０の筒部３０ｂは、第２のカバー３０が開閉する際に可動部２６と干渉しない形状とされており、図３８乃至図４０に示すように、筒部３０ｂに突出部３０ｅが形成されている。突出部３０ｅは、ｘｚ平面と平行に配置された板状部材であり、筒部本体３０ｆとで段差部３０ｇを形成する。
【０１７１】
連動手段７３は、第２のカバー３０の回転に可動部２６を連動させる。連動手段７３は、第２のカバー３０に設けられたピン７３ａ、及び当該ピン７３ａが係合され、可動部２６に形成されたカム溝７３ｂを備えている。ピン７３ａは、第２のカバー３０における筒部３０ｂの突出部３０ｅからｙ軸方向に突出するように当該第２のカバー３０に設けられ、段差部３０ｇ内に配置されている。
【０１７２】
カム溝７３ｂは、図４１に示すように、可動部２６の被嵌合部２６ｃに形成されている。被嵌合部２６ｃは、ｚ軸＋側に突出する突出部２６ｆ及び当該突出部２６ｆに隣接する切り欠き部２６ｇを備えている。突出部２６ｆには、上述のカム溝７３ｂが形成されている。そして、切り欠き部２６ｇ内には、第２のカバー３０の突出部３０ｅの一部が収容されている。このとき、切り欠き部２６ｇと第２のカバー３０の突出部３０ｅとは、第２のカバー３０が回転した際に干渉しない形状とされている。
【０１７３】
第１の付勢手段７４は、図４２に示すように、板バネから成る。第１の付勢手段７４は、ｙ軸方向に延在しており、ｚ軸＋側に凸形状である。そして、第１の付勢手段７４の頂部は、スペーサ７５を介して可動部２６の軸２６ｂに固定されている。第１の付勢手段７４の両端部は、筐体２２の底部２２ｅに固定されている。
【０１７４】
次に、本実施の形態の接続器７１において、第１の端子２３と第２の端子２４との電気的な接続を遮断する流れを説明する。図４３は、本実施の形態の接続器において第２のカバーが開いた状態での連動手段などを模式的に示す正面図である。図４４は、本実施の形態の接続器において、第２のカバーが開いた状態での連動手段などを模式的に示す斜視図である。図４５は、本実施の形態の接続器において、第２のカバーが開いた状態での第１の付勢手段を模式的に示す斜視図である。
【０１７５】
作業者が第２のカバー３０を開方向に回転させると、連動手段７３のピン７３ａがカム溝７３ｂ内を移動する。このとき、第２のカバー３０の回転角度が所定の回転角度より大きくなると、ピン７３ａがカム溝７３ｂを介して可動部２６をｚ軸−方向に強く押し込む。その結果、第１の付勢手段７４の中央は、ｚ軸−方向に押し込まれ、第１の付勢手段７４は、瞬間的に反り返ってｚ軸−側に凸形状になる。これにより、可動部２６が急激にｚ軸−方向に引き込まれ、接続手段２５を介した第１の端子２３と第２の端子２４との電気的な接続が瞬間的に遮断される。そのため、アークの発生を抑制することができる。ここで、本実施の形態でも、ｙ軸＋側に配置された第１の端子２３と第２の端子２４との電気的な接続と、ｙ軸−側に配置された第１の端子２３と第２の端子２４との電気的な接続と、が略同時に遮断される。
【０１７６】
そして、作業者が第２のカバー３０を閉方向に回転させると、連動手段７３のピン７３ａがカム溝７３ｂ内を移動する。このとき、第２のカバー３０の回転角度が所定の回転角度以下になると、ピン７３ａがカム溝７３ｂを介して可動部２６をｚ軸＋方向に強く引き込む。その結果、第１の付勢手段７４の中央は、ｚ軸＋方向に引き込まれ、第１の付勢手段７４は、瞬間的に反り返ってｚ軸＋側に凸形状になる。これにより、可動部２６が急激にｚ軸＋方向に押し出され、接続手段２５を介して第１の端子２３と第２の端子２４とが電気的に接続される。
【０１７７】
ここで、上述の所定の回転角度は、例えば、二次側端子９と第２の端子２４との接続状態を解除するための工具（例えば、ドライバ）を第２のカバー３０と筐体２２との隙間から挿入可能な角度に設定するとよい。
【０１７８】
なお、本実施の形態では、第２のカバー３０を開閉することで、第１の端子２３と第２の端子２４との電気的な接続及び遮断を実現しているが、第１のカバー２９の開閉に基づいても、同様に第１の端子２３と第２の端子２４との電気的な接続及び遮断を可能な構成としてもよい。但し、第１のカバー２９は、第１の端子２３と一次側端子８との接続部を覆うことができる構成であればよい。
【０１７９】
また、本実施の形態では、一次側端子８と第１の端子２３、及び二次側端子９と第２の端子２４とがボルト２８を介して接続される構成を例示しているが、実施の形態３と同様に、第１の端子にピン形状である一次側端子が接続され、第２の端子にピン形状の二次側端子が接続される構成でもよい。この場合、第１のカバーが閉じた状態で当該第１のカバーに形成された凸部が一次側端子に形成された溝部に係合され、第１のカバーが開いた状態で凸部と溝部との係合が解除される構成とされるとよい。また、第２のカバーが閉じた状態で当該第２のカバーに形成された凸部が二次側端子９に形成された溝部に係合され、第２のカバーが開いた状態で凸部と溝部との係合が解除される構成とされるとよい。
【０１８０】
＜実施の形態６＞
本実施の形態の接続器も、筐体を覆うカバーの開閉に連動して第１の端子と第２の端子との電気的な接続と遮断とが切り替えられる。先ず、本実施の形態の接続器の構成を説明する。なお、以下の説明では、実施の形態２と重複する説明は省略し、実施の形態２の接続器２１と等しい部材には等しい符号を用いて説明する。
【０１８１】
図４６は、本実施の形態の接続器において、第１の端子と第２の端子とが電気的に接続された状態を模式的に示す断面図である。図４７は、本実施の形態の接続器において、第１の端子と第２の端子とが電気的に接続された状態を模式的に示す異なる断面図である。図４８は、本実施の形態の筐体を模式的に示す斜視図である。図４９は、本実施の形態の可動部などを模式的に示す斜視図である。図５０は、本実施の形態の可動部を模式的に示す斜視図である。図５１は、本実施の形態の第１のカバーを模式的に示す斜視図である。図５２は、本実施の形態の固定治具を模式的に示す斜視図である。
【０１８２】
図４６及び図４７に示すように、本実施の形態の接続器８１は、筐体８２、接続手段８３、可動部８４及び遮断可否手段８５を備えている。ここで、本実施の形態の接続器８１は、ノーマルモードの接続器として構成されており、各々の第１の端子２３と第２の端子２４との電気的な接続を遮断可能な構成とされている。
【０１８３】
筐体８２は、絶縁部材から成り、図４８に示すように、略矩形状の底部８２ａ、底部８２ａにおけるｙ軸−側の端辺でｘ軸方向に延在する側部８２ｂ、底部８２ａにおけるｙ軸＋側の端辺でｘ軸方向に延在する側部８２ｃ、及び側部８２ｂと側部８２ｃとの間でｘ軸方向に延在するリブ８２ｄを備えている。そして、図４６及び図４７に示すように、底部８２ａにおけるｘ軸＋側の部分でリブ８２ｄを挟み込むように第１の端子２３が底部８２ａに固定されている。また、底部８２ａにおけるｘ軸−側の部分でリブ８２ｄを挟み込むように第２の端子２４が底部８２ａに固定されている。
【０１８４】
接続手段８３は、図４７に示すように、第１の端子２３と第２の端子２４との間に配置されており、第１の端子２３と第２の端子２４とをｚ軸−側から電気的に接続する。本実施の形態の接続手段８３は、図４９に示すように、本体部８３ａ及び伝達部８３ｂを備えている。なお、図４９では、接続手段８３を二点鎖線で示している。
【０１８５】
本体部８３ａは、導電部材から成る板バネであり、略Ｗ形状を基本形態としている。そして、本体部８３ａにおけるｘ軸−側の端部から第１の接点８３ｃがｘ軸−方向に延在しており、第１の接点８３ｃは第２の端子２４に対してｚ軸−側に配置されている。一方、本体部８３ａにおけるｘ軸＋側の端部から第２の接点８３ｄがｘ軸＋方向に延在しており、第２の接点８３ｄは第１の端子２３に対してｚ軸−側に配置されている。
【０１８６】
伝達部８３ｂは、後述する遮断可否手段８５の付勢手段８８の弾性力を本体部８３ａに伝達したり、可動部８４の動作を付勢手段８８に伝達したり、する。伝達部８３ｂは、例えば、本体部８３ａをｙ軸方向で挟み込むように配置された板状部８３ｅに略ｘ軸方向に延在するガイド溝８３ｆが形成されて成り、伝達部８３ｂのｚ軸＋側の端部が略Ｗ形状を基本形態とする本体部８３ａの頂部に接続されている。
【０１８７】
可動部８４は、接続手段８３をｚ軸方向に移動させる。可動部８４は、図４９及び図５０に示すように、被押し込み部８４ａ及び被引き上げ部８４ｂを備えている。被押し込み部８４ａは、後述する遮断可否手段８５の第１のカバー８６に形成された第１の押し込み部８６ｄ及び第２の押し込み部８６ｅに接触する。そして、被押し込み部８４ａのｚ軸−側の面には、接続手段８３の本体部８３ａが固定されている。被引き上げ部８４ｂは、被押し込み部８４ａとｙ軸方向で間隔を開けて配置された板状部８４ｃにガイド溝８４ｄが形成されて成り、被押し込み部８４ａと一体的に形成されている。
【０１８８】
遮断可否手段８５は、図４６及び図４７に示すように、第１のカバー８６、第２のカバー８７及び付勢手段８８を備えている。第１のカバー８６は、絶縁部材から成り、軸８９を介して筐体８２に回転可能に連結されている。そして、第１のカバー８６は、閉状態で第２の端子２４と二次側端子との接続部を覆い、開状態で第２の端子２４と二次側端子との接続部を露出させる。
【０１８９】
このような第１のカバー８６は、第１の端子２３と第２の端子２４との電気的な接続と、第１の端子２３と第２の端子２４との電気的な接続の遮断と、を切り替えるために操作される操作手段として機能する。ここで、本実施の形態の第１のカバー８６は、ｙ軸＋側に配置された第１の端子２３と第２の端子２４との電気的な接続を切り替えるために機能する。
【０１９０】
第１のカバー８６は、図５１に示すように、本体部８６ａ、筒部８６ｂ及び引き上げ部８６ｃを備えている。本体部８６ａは、平板形状を基本形態としており、筐体８２の側部８２ｂ、８２ｃ及びリブ８２ｄのｚ軸＋側の面に載置可能な形状とされている。
【０１９１】
筒部８６ｂは、本体部８６ａのｘ軸＋側の縁部に設けられており、ｙ軸方向から見てカム形状の第１の押し込み部８６ｄ及び第２の押し込み部８６ｅを備えている。そして、筒部８６ｂは、ｙ軸方向に貫通する貫通孔８６ｆを備えており、当該貫通孔８６ｆ及び筐体８２に形成された貫通孔に軸８９が通されることで、第１のカバー８６が筐体８２に回転可能に連結されている。
【０１９２】
第１の押し込み部８６ｄは、後述するように、第１のカバー８６が開方向に回転して当該第１のカバー８６の回転角度が所定の第１の回転角度に達すると、可動部８４の被押し込み部８４ａのｚ軸＋側の面に接触し、第１のカバー８６を更に回転させると、可動部８４を介して接続手段８３を押し込む押し込み手段として機能する。
【０１９３】
第２の押し込み部８６ｅは、後述するように、第１のカバー８６が閉じた状態で可動部８４の被押し込み部８４ａのｚ軸＋側の面に接触したり、第１のカバー８６が開方向に回転して第１の押し込み部８６ｄが可動部８４の被押し込み部８４ａのｚ軸＋側の面に接触するまで、可動部８４の被押し込み部８４ａのｚ軸＋側の面に接触したり、して可動部８４のｚ軸方向での位置を安定させる。
【０１９４】
引き上げ部８６ｃは、第１のカバー８６を閉方向に回転させた際に可動部８４をｚ軸＋方向に引き上げる。引き上げ部８６ｃは、例えば、図５１に示すように、ｙ軸方向に突出するピン８６ｇを備えており、当該ピン８６ｇは、可動部８４における被引き上げ部８４ｂのガイド溝８４ｄに挿入されている。このようなピン８６ｇは、可動部８４の被引き上げ部８４ｂの間に配置されたリンク８６ｈを介して筒部８６ｂに連結されている。
【０１９５】
第２のカバー８７は、閉状態で第１の端子２３と一次側端子との接続部を覆い、開状態で第１の端子２３と一次側端子との接続部を露出させる。このような第２のカバー８７も、第１の端子２３と第２の端子２４との電気的な接続と、第１の端子２３と第２の端子２４との電気的な接続の遮断と、を切り替えるために操作される操作手段として機能する。ここで、本実施の形態の第２のカバー８７は、ｙ軸−側に配置された第１の端子２３と第２の端子２４との電気的な接続を切り替えるために機能する。なお、第１のカバー８６と第２のカバー８７とは、接続器８１の中心を通り、且つｚ軸方向に延在する軸を中心とした点対称の構成であるので、第２のカバー８７の構成の説明は省略する。
【０１９６】
付勢手段８８は、接続手段８３をｚ軸＋方向に付勢する。付勢手段８８は、図４７に示すように、トーションバネから成り、接続手段８３及び固定治具９０の内部に配置されている。固定治具９０は、図４６及び図４７に示すように、可動部８４に対してｚ軸−側に配置されている。そして、固定治具９０は、筐体８２に形成された凹み部８２ｅの内部に格納されており、筐体８２における凹み部８２ｅのｚ軸＋側の面に固定されている。
【０１９７】
固定治具９０は、例えば、図５２に示すように、ｘ軸方向の端部からｚ軸＋側に立ち上げられた部分に形成された固定部９０ａ、及びｙ軸方向の端部からｚ軸＋側に立ち上げられた部分に形成された案内部９０ｂを備えており、固定治具９０のｙ軸方向の端部から立ち上がる部分の間に接続手段８３が配置されている。
【０１９８】
固定部９０ａは、例えば、固定治具９０をｘ軸方向に貫通する貫通孔であり、図４７に示すように、付勢手段８８の一方の端部が差し込まれている。案内部９０ｂは、図５２に示すように、固定治具９０を略ｘ軸方向に貫通するガイド溝であり、略ｘ軸方向に延在する第１の部分９０ｃ、及び第１の部分９０ｃと段差部９０ｄを介して連続し、略ｘ軸方向に延在する第２の部分９０ｅを備えている。そして、第２の部分９０ｅは、第１の部分９０ｃに対してｚ軸−側に配置されている。つまり、第２の部分９０ｅは、第１の部分９０ｃに対して一段下がった位置に配置されている。
【０１９９】
案内部９０ｂには、ガイドピン９１の端部が挿入されている。ガイドピン９１には、図４９に示すように、付勢手段８８の他方の端部が接続されている。また、ガイドピン９１は、接続手段８３における伝達部８３ｂのガイド溝８３ｆに通されている。このような案内部９０ｂは、後述するように、接続手段８３がｚ軸−側に移動する速度を調整する。
【０２００】
次に、本実施の形態の接続器８１において、第１の端子２３と第２の端子２４とが接続手段８３を介して電気的に接続された状態を説明する。図５３は、本実施の形態の接続器において、第１の端子と第２の端子とが電気的に接続された状態の内部構造を模式的に示す図である。
【０２０１】
なお、ｙ軸＋側に配置された第１の端子２３と第２の端子２４とが電気的に接続された状態と、ｙ軸−側に配置された第１の端子２３と第２の端子２４とが電気的に接続された状態と、は、ｚ軸方向から見て、接続器８１におけるｙ軸方向の中央を通る軸を中心に対称であるので、ｙ軸＋側に配置された第１の端子２３と第２の端子２４とが電気的に接続された状態を代表して説明する。
【０２０２】
このような場合、図５３に示すように、第１のカバー８６は、第２の端子２４と二次側端子との接続部を覆うように閉状態であり、第１のカバー８６の第１の押し込み部８６ｄは、可動部８４における被押し込み部８４ａのｚ軸＋側の面と非接触状態である。このとき、第１のカバー８６の第２の押し込み部８６ｅは、可動部８４における被押し込み部８４ａのｚ軸＋側の面に接触するが、可動部８４をｚ軸方向での位置を安定させる程度の接触状態である。
【０２０３】
これにより、第１のカバー８６の第１の押し込み部８６ｄ及び第２の押し込み部８６ｅは、可動部８４をｚ軸−方向に押し込まない。そのため、接続手段８３の第１の接点８３ｃが第２の端子２４に接触し、接続手段８３の第２の接点８３ｄが第１の端子２３に接触するように、接続手段８３は、ｚ軸−側から付勢手段８８によって押し込まれる。
【０２０４】
このとき、付勢手段８８は、ｙ軸＋側から見て、例えば、他方の端部が時計回りに回転して圧縮した状態である。そして、第１のカバー８６のピン８６ｇは、例えば、可動部８４のガイド溝８４ｄのｘ軸＋側の端部に配置されている。また、ガイドピン９１は、固定治具９０の案内部９０ｂ及び接続手段８３のガイド溝８３ｆのｘ軸−側の端部に配置されている。
【０２０５】
次に、本実施の形態の接続器８１において、第１の端子２３と第２の端子２４との電気的な接続を遮断する流れを説明する。図５４は、本実施の形態の接続器において、第１の端子と第２の端子との電気的な接続が遮断された状態を示す断面図である。図５５は、本実施の形態の接続器において、第１の端子と第２の端子との電気的な接続が遮断された状態を拡大して示す断面図である。図５６は、本実施の形態の接続器において、第１の端子と第２の端子との電気的な接続が遮断された状態を示す異なる断面図である。
【０２０６】
なお、ｙ軸＋側に配置された第１の端子２３と第２の端子２４との電気的な接続が遮断される流れと、ｙ軸−側に配置された第１の端子２３と第２の端子２４との電気的な接続が遮断される流れと、は、接続器８１の中心を通り、且つｚ軸方向に延在する軸を中心とした点対称の構成であるので、ｙ軸＋側に配置された第１の端子２３と第２の端子２４との電気的な接続が遮断される流れを代表して説明する。
【０２０７】
第２の端子２４と二次側端子との接続部を露出させるために作業者が第１のカバー８６を開方向に回転させると、第１のカバー８６の回転角度が所定の第１の回転角度に達するまで、第１のカバー８６の第１の押し込み部８６ｄは、可動部８４における被押し込み部８４ａのｚ軸＋側の面に接触しない。一方、第１のカバー８６の第２の押し込み部８６ｅは、可動部８４における被押し込み部８４ａのｚ軸＋側の面に接触し、可動部８４のｚ軸方向の位置を安定させている。
【０２０８】
さらに、第１のカバー８６を開方向に回転させて、第１のカバー８６の回転角度が第１の回転角度に達すると、可動部８４における被押し込み部８４ａのｚ軸＋側の面への接触が、第１のカバー８６の第２の押し込み部８６ｅから第１の押し込み部８６ｄに引き継がれ、当該第１の押し込み部８６ｄが可動部８４における被押し込み部８４ａのｚ軸＋側の面に接触する。このとき、第１のカバー８６のピン８６ｇは、例えば、可動部８４のガイド溝８４ｄの略中央に配置されている。また、ガイドピン９１は、固定治具９０の案内部９０ｂ及び接続手段８３のガイド溝８３ｆのｘ軸−側の端部に配置されている。
【０２０９】
さらに、第１のカバー８６を開方向に回転させて、第１のカバー８６の第１の押し込み部８６ｄで可動部８４をｚ軸−方向に押し込むと、付勢手段８８の復元力によって、ガイドピン９１が固定治具９０における案内部９０ｂの第１の部分９０ｃ及び接続手段８３のガイド溝８３ｆに沿ってｘ軸＋方向に移動する。そして、第１のカバー８６の回転角度が所定の第２の回転角度に到達すると、ガイドピン９１が固定治具９０における案内部９０ｂの段差部９０ｄに到達して、ガイドピン９１が固定治具９０における案内部９０ｂの段差部９０ｄに沿ってｚ軸−方向に移動する。それに伴い、接続手段８３の移動速度は加速して当該接続手段８３はｚ軸−方向に引き込まれる。その結果、第１の端子２３と第２の端子２４との電気的な接続が瞬間的に遮断される。
【０２１０】
ここで、所定の第２の回転角度は、例えば、二次側端子と第２の端子２４との接続状態を解除するための工具を第１のカバー８６と筐体８２との隙間から挿入可能な角度に設定するとよい。
【０２１１】
さらに、第１のカバー８６を開方向に回転させて、第１のカバー８６の第１の押し込み部８６ｄで可動部８４をｚ軸−方向に押し込むと、付勢手段８８の復元力によって、ガイドピン９１が固定治具９０における案内部９０ｂの第２の部分９０ｅ及び接続手段８３のガイド溝８３ｆに沿ってｘ軸＋方向に移動し、ガイドピン９１は固定治具９０の案内部９０ｂ及び接続手段８３のガイド溝８３ｆのｘ軸＋側の端部に到達する。このとき、第１のカバー８６のピン８６ｇは、可動部８４の動作を阻害しないように、可動部８４のガイド溝８４ｄに沿ってｘ軸−側に移動する。そして、付勢手段８８は、ｙ軸方向から見て、他方の端部が反時計回りに回転して、弾性力を略開放した状態となる。
【０２１２】
ここで、固定治具９０の案内部９０ｂは、第２の部分９０ｅのｘ軸＋側の端部に略ｚ軸方向に延在する係合部９０ｆを備えているとよい。これにより、ガイドピン９１が固定治具９０における案内部９０ｂのｘ軸＋側の端部に到達して係合部９０ｆに嵌まると、ガイドピン９１の移動が抑制され、第１のカバー８６を開いた状態に維持することができる。
【０２１３】
また、可動部８４の被引き上げ部８４ｂは、図５５に示すように、ｚ軸−方向に移動した際に固定治具９０との接触を抑制する逃げ部８４ｅを備えているとよい。これにより、接続器８１のｚ軸方向の厚みを抑制することができる。
【０２１４】
さらに、第１のカバー８６の筒部８６ｂは、図５４に示すように、第１のカバー８６が開方向に回転した際に第２のカバー８７のｘ軸−側の端部と干渉して当該第１のカバー８６の回転角度を規制する干渉部８６ｉを備えているとよい。これにより、第１のカバー８６の損傷を抑制することができる。このとき、干渉部８６ｉは、第２のカバー８７を開方向に回転させようとしても、第２のカバー８７のｘ軸−側の端部が干渉する形状であるとよい。
【０２１５】
一方、作業者が第１のカバー８６を再び閉方向に回転させると、第１のカバー８６のピン８６ｇが可動部８４のガイド溝８４ｄに沿ってｘ軸＋側に移動し、可動部８４を介して接続手段８３をｚ軸＋方向に引き上げる。そのため、可動部８４のガイド溝８４ｄは、第１のカバー８６の閉動作に伴って、接続手段８３を良好にｚ軸＋方向に引き上げることができる形状とされている。これにより、再び第１の端子２３と第２の端子２４とを電気的に接続することができる。このとき、可動部８４の動作を阻害しないように、可動部８４のガイドピン９１が固定治具９０の案内部９０ｂ及び接続手段８３のガイド溝８３ｆに沿ってｘ軸−方向に移動する。その結果、付勢手段８８は、再び圧縮した状態となる。
【０２１６】
ここで、固定治具９０の案内部９０ｂは、第１の部分９０ｃのｘ軸−側の端部に略ｚ軸方向に延在する係合部９０ｇを備えているとよい。これにより、ガイドピン９１が固定治具９０における案内部９０ｂのｘ軸−側の端部に到達して係合部９０ｇに嵌まると、ガイドピン９１の移動が抑制され、第１のカバー８６を閉じた状態に維持することができる。
【０２１７】
このような本実施の形態の接続器８１は、作業者が第１のカバー８６又は第２のカバー８７を開方向に回転させて、接続手段８３による第１の端子２３と第２の端子２４との電気的な接続が遮断された後に、接続器８１から二次側端子を取り外す作業を行うことになる。そのため、接続器８１から二次側端子を取り外す際に、作業者の感電を抑制でき、安全性が高い。
【０２１８】
しかも、本実施の形態の接続器８１は、ｙ軸＋側に配置された第１の端子２３と第２の端子２４との電気的な接続操作と、ｙ軸−側に配置された第１の端子２３と第２の端子２４との電気的な接続操作と、個別に行うことができる。つまり、本実施の形態の接続器８１は、電源線の接続及び遮断を個別に行うことができる。
【０２１９】
また、本実施の形態の接続器８１を直流経路内に設けた場合、第１の端子２３と第２の端子２４との電気的な接続を瞬間的に遮断することができるので、接続手段８３と第１の端子２３又は第２の端子２４との間でのアークの発生を抑制することができ、交流経路内だけでなく直流経路内に良好に設置することができる。
【０２２０】
なお、本実施の形態の接続器８１も、接続手段８３と第１の端子２３との接続部近傍、及び接続手段８３と第２の端子２４との接続部近傍に夫々磁石９２を配置し、発生するアークを消弧可能な構成とすることが好ましい。
【０２２１】
本実施の形態の接続器８１は、ノーマルモードの接続器として構成しているため、ｙ軸＋側に配置された第１の端子２３と第２の端子２４との電気的な接続と、ｙ軸−側に配置された第１の端子２３と第２の端子２４との電気的な接続と、を個別に操作可能な構成としているが、接続器８１をディファレンシャルモードの接続器として構成する場合は、ｙ軸方向に並ぶ可動部８４を連結して、ｙ軸＋側に配置された第１の端子２３と第２の端子２４との電気的な接続と、ｙ軸−側に配置された第１の端子２３と第２の端子２４との電気的な接続と、を同時に操作可能な構成とするとよい。
【０２２２】
本実施の形態の接続器８１は、一次側端子と第１の端子２３、及び二次側端子と第２の端子２４とがボルト２８を介して接続される構成を例示しているが、実施の形態３と同様に、第１の端子にピン形状である一次側端子が接続され、第２の端子にピン形状の二次側端子が接続される構成でもよい。
【０２２３】
なお、上述の実施の形態では、固定治具９０の案内部９０ｂを用いて接続手段８３と第１の端子２３及び第２の端子２４との電気的な接続を瞬間的に遮断しているが、ラッチ機構を用いて接続手段８３と第１の端子２３及び第２の端子２４との電気的な接続を瞬間的に遮断してもよい。
【０２２４】
例えば、第１の端子及び第２の端子に対してｚ軸＋側に配置された接続手段が可動部に設けられており、当該可動部に形成されたラッチを固定部に嵌め込むことで、接続手段が第１の端子及び第２の端子に電気的に接続された状態に固定される。このとき、接続手段は、コイルバネなどの弾性体によって、ｚ軸＋方向に付勢される。そして、カバーを開方向に回転させて所定の回転角度に達すると、カバーに設けられた突出部がラッチの側方から接触して、ラッチが固定部から押し出される。これにより、接続手段は、弾性体の付勢力によってｚ軸＋方向に瞬間的に押し上げられ、第１の端子及び第２の端子との電気的な接続が遮断される。一方、カバーを閉方向に回転させると、カバーに設けられた押し込み手段が可動部に接触して当該可動部がｚ軸−方向に押し込まれる。これにより、再び、ラッチが固定部に嵌め込まれ、接続手段が第１の端子及び第２の端子に電気的に接続された状態で固定される。
【０２２５】
＜実施の形態７＞
上述の実施の形態１〜６の接続器は、当該接続器に生じる振動が予め設定された大きさ以上の場合、接続手段による第１の端子と第２の端子との電気的な接続を遮断する遮断機構を備えていることが好ましい。これにより、地震などの際に第１の端子と第２の端子との電気的な接続を遮断することができ、第２の端子に二次側端子を介して電気的に接続された機器の損傷を抑制することができる。
【０２２６】
遮断機構は、例えば、落下式や水銀式を採用することができ、接続器の設置姿勢に関係なく、接続器に生じる振動が予め設定された大きさ以上の場合、接続手段による第１の端子と第２の端子との電気的な接続を遮断する構成とされている。
【０２２７】
以上、本発明の実施の形態を説明したが、上記の構成に限らず、本発明の技術的思想を逸脱しない範囲で、変更することが可能である。例えば、上述の遮断可否手段の構成は例示であり、接続器は、接続手段によって第１の端子と第２の端子とが電気的に接続されるのに連動して、二次側端子と第２の端子との電気的な接続を遮断不能にする構成であればよい。また、上述の実施の形態を組み合わせて実施してもよい。
【０２２８】
例えば、上述の実施の形態の接続器は、２組の第１の端子と第２の端子とを有する接続器を説明したが、第１の端子と第２の端子との組数は限定されない。例えば、１組の第１の端子と第２の端子とを有する接続器でも略同様に実施できる。その場合、係合構造によって接続器を連結できる構成であることが好ましい。
【０２２９】
この出願は、２０１６年７月２８日に出願された日本出願特願２０１６−１４８４８６を基礎とする優先権を主張し、その開示の全てをここに取り込む。
【符号の説明】
【０２３０】
１  接続器
２  筐体、２ａ、２ｂ、２ｃ、２ｄ  側部、２ｅ  底部、２ｆ  第１のリブ、２ｇ  第２リブ、２ｈ、２ｉ  切り欠き部、２ｊ  貫通孔、２ｋ  突出部、２ｌ、２ｍ  貫通孔、２ｎ、２ｏ、２ｐ  貫通孔、２ｑ  水平部、２ｒ  傾斜部、２ｓ  ネジ孔、２ｔ、２ｕ、２ｖ  貫通孔、２ｗ  ネジ孔、２ｘ  嵌合部
３  第１の端子、３ａ  貫通孔
４  第２の端子、４ａ  貫通孔
５  操作手段、５ａ  摘まみ部、５ｂ  第１の軸部、５ｃ  第２の軸部、５ｄ  連結部、５ｅ  溝部、５ｆ  ねじ込み部、５ｇ、５ｈ  突出部、５ｉ  収容部
６  接続手段、６ａ  第１の接点、６ｂ  第２の接点
７  遮断可否手段、７ａ  第１のカバー、７ｂ  固定手段、７ｃ  係合部、７ｄ  被係合部、７ｅ  突出部、７ｆ  軸部、７ｇ  切り欠き部
８  一次側端子
９  二次側端子
１０  カム機構、１０ａ  カム、１０ｂ  係止部、１０ｃ  リンク、１０ｄ  貫通孔、１０ｅ  切り欠き部
１１  可動部、１１ａ  筒部、１１ｂ  第１の弾性体、１１ｃ  アーム部、１１ｄ  被係止部、１１ｅ  第２の弾性体、１１ｆ  切り欠き部、１１ｇ  第１の部分、１１ｈ  第２の部分、１１ｉ  リブ、１１ｊ  第１のフランジ、１１ｋ  第２のフランジ
１２、１４  軸
１３  第２のカバー、１３ａ  切り欠き部、１３ｂ  貫通孔
１５  固定手段、１５ａ  係合部、１５ｂ  被係合部、１５ｃ  突出部、１５ｄ  軸部
１６  カバー、１６ａ  本体部、１６ｂ  爪部、１６ｃ  貫通孔
１７  磁石
２１  接続器
２２  筐体、２２ａ、２２ｂ、２２ｃ、２２ｄ  側部、２２ｅ  底部、２２ｆ  第１のリブ、２２ｇ  第１の切り欠き部、２２ｈ  第２のリブ、２２ｉ  第２の切り欠き部、２２ｊ  突出部、２２ｋ、２２ｌ、２２ｍ  貫通孔、２２ｎ  嵌合部
２３  第１の端子
２４  第２の端子
２５  接続手段、２５ａ  第１の接点、２５ｂ  第２の接点
２６  可動部、２６ａ  伝達部、２６ｂ  軸、２６ｃ  被嵌合部、２６ｄ  連結部、２６ｅ  嵌合部、２６ｆ  突出部、２６ｇ  切り欠き部
２７  遮断可否手段
２８  ボルト
２９  第１のカバー、２９ａ  本体部、２９ｂ  筒部、２９ｃ  カム面
３０  第２のカバー、３０ａ  本体部、３０ｂ  筒部、３０ｃ  カム面、３０ｄ  貫通孔、３０ｅ  突出部、３０ｆ  筒部本体、３０ｇ  段差部
３１  第１の付勢手段
３２  軸
３３  第１の回転抑制手段、３３ａ  係合部、３３ｂ  被係合部
３４  第２の回転抑制手段、３４ａ  係合部、３４ｂ  被係合部
３５  固定手段、３５ａ  押さえ部材、３５ｂ  ボルト
４１  接続器
４２  筐体、４２ａ、４２ｂ、４２ｃ、４２ｄ  側部、４２ｅ  底部、４２ｆ、４２ｇ  切り欠き部、４２ｈ  第１のリブ、４２ｉ  第２のリブ、４２ｊ、４２ｋ  案内溝
４３  第１の端子、４３ａ  被嵌合部、４３ｂ  接点、４３ｃ  本体部、４３ｄ  挟持部
４４  第２の端子、４４ａ  被嵌合部、４４ｂ  接点、４４ｃ  本体部、４４ｄ  挟持部
４５  操作手段、４５ａ  本体部、４５ｂ  摘まみ部、４５ｃ  規制部、４５ｄ  被嵌合部、４５ｅ  突出部、４５ｆ  凹部
４６  遮断可否手段
４７  蓋部、４７ａ  貫通孔
４８  一次側端子
４９  二次側端子
５０  接続手段、５０ａ  本体部、５０ｂ  嵌合部、５０ｃ  接点、５０ｄ  ピン、５０ｅ  突出部、５０ｆ  凸部、５０ｇ  リブ
５１  弾性体
５２  抜去防止手段、５２ａ  溝部、５２ｂ  凸部
６１  第１の端子、６１ａ  プラグ部
６２  第１の端子、６２ａ  プラグ部
７１  接続器
７２  遮断可否手段
７３  連動手段、７３ａ  ピン、７３ｂ  カム溝
７４  第１の付勢手段
７５  スペーサ
８１  接続器
８２  筐体、８２ａ  底部、８２ｂ、８２ｃ  側部、８２ｄ  リブ、８２ｅ  凹み部
８３  接続手段
８３ａ  本体部、８３ｃ  第１の接点、８３ｄ  第２の接点
８３ｂ  伝達部、８３ｅ  板状部、８３ｆ  ガイド溝
８４  可動部
８４ａ  被押し込み部
８４ｂ  被引き上げ部、８４ｃ  板状部、８４ｄ  ガイド溝、８４ｅ  逃げ部
８５  遮断可否手段
８６  第１のカバー
８６ａ  本体部
８６ｂ  筒部
８６ｃ  引き上げ部、８６ｇ  ピン、８６ｈ  リンク
８６ｄ  第１の押し込み部
８６ｅ  第２の押し込み部
８６ｆ  貫通孔
８６ｉ  干渉部
８７  第２のカバー
８８  付勢手段
８９  軸
９０  固定治具
９０ａ  固定部
９０ｂ  案内部、９０ｃ  第１の部分、９０ｄ  段差部、９０ｅ  第２の部分
９０ｆ、９０ｆ  係合部
９１  ガイドピン
９２  磁石
【図１】
2018021023.tif 000003
【図２】
2018021023.tif 000004
【図３】
2018021023.tif 000005
【図４】
2018021023.tif 000006
【図５】
2018021023.tif 000007
【図６】
2018021023.tif 000008
【図７】
2018021023.tif 000009
【図８】
2018021023.tif 000010
【図９】
2018021023.tif 000011
【図１０】
2018021023.tif 000012
【図１１】
2018021023.tif 000013
【図１２】
2018021023.tif 000014
【図１３】
2018021023.tif 000015
【図１４】
2018021023.tif 000016
【図１５】
2018021023.tif 000017
【図１６】
2018021023.tif 000018
【図１７】
2018021023.tif 000019
【図１８】
2018021023.tif 000020
【図１９】
2018021023.tif 000021
【図２０】
2018021023.tif 000022
【図２１】
2018021023.tif 000023
【図２２】
2018021023.tif 000024
【図２３】
2018021023.tif 000025
【図２４】
2018021023.tif 000026
【図２５】
2018021023.tif 000027
【図２６】
2018021023.tif 000028
【図２７】
2018021023.tif 000029
【図２８】
2018021023.tif 000030
【図２９】
2018021023.tif 000031
【図３０】
2018021023.tif 000032
【図３１】
2018021023.tif 000033
【図３２】
2018021023.tif 000034
【図３３】
2018021023.tif 000035
【図３４】
2018021023.tif 000036
【図３５】
2018021023.tif 000037
【図３６】
2018021023.tif 000038
【図３７】
2018021023.tif 000039
【図３８】
2018021023.tif 000040
【図３９】
2018021023.tif 000041
【図４０】
2018021023.tif 000042
【図４１】
2018021023.tif 000043
【図４２】
2018021023.tif 000044
【図４３】
2018021023.tif 000045
【図４４】
2018021023.tif 000046
【図４５】
2018021023.tif 000047
【図４６】
2018021023.tif 000048
【図４７】
2018021023.tif 000049
【図４８】
2018021023.tif 000050
【図４９】
2018021023.tif 000051
【図５０】
2018021023.tif 000052
【図５１】
2018021023.tif 000053
【図５２】
2018021023.tif 000054
【図５３】
2018021023.tif 000055
【図５４】
2018021023.tif 000056
【図５５】
2018021023.tif 000057
【図５６】
2018021023.tif 000058
【国際調査報告】
2018021023.tif 000059
2018021023.tif 000060
2018021023.tif 000061
2018021023.tif 000062